(57)【特許請求の範囲】
【請求項１】
電気部品が搭載されてなる遊技ユニットが支持対象によって回動可能に支持されている遊技機であって、
前記遊技ユニットに設けられたユニット側コネクタと、
前記支持対象に設けられ、前記遊技ユニットの装着位置への変位に基づいて前記ユニット側コネクタと接続され、前記遊技ユニットの前記装着位置からの変位に基づいて前記ユニット側コネクタと分離される支持対象側コネクタと
を備え、
前記ユニット側コネクタ及び前記支持対象側コネクタは、前記遊技ユニットの回動中心軸線方向に複数列となるように配列された接続端子を有してなり、
前記接続端子として、電源用接続端子と、前記電源用接続端子に対して前記遊技ユニットの回動先端側となる位置に設けられた第１グランド用接続端子と、前記電源用接続端子に対して前記遊技ユニットの回動基端側となる位置に設けられた第２グランド用接続端子とを含み、
前記第１グランド用接続端子は、前記第２グランド用接続端子とは異なる列に配設されていることを特徴とする遊技機。
【請求項２】
パチンコ機である請求項１に記載の遊技機。
【発明の詳細な説明】
【技術分野】
【０００１】
本発明は、遊技機に関するものである。
【背景技術】
【０００２】
パチンコ機等の遊技機には、電気部品が搭載されてなる遊技盤等の遊技ユニットと、その遊技ユニットを着脱可能に支持する支持枠等の支持対象とを備えているものがある。遊技ユニットには電気部品に接続されたコネクタが取り付けられており、このコネクタを支持対象側のコネクタと接続することで、遊技ユニットと支持対象とが電気的に接続された状態となる。
【０００３】
近年では、遊技ユニットを支持対象に着脱する際の遊技ユニットの変位によって両コネクタが電気的に接続／分離されるものが提案されている（例えば特許文献１参照）。かかる遊技機においては、例えば遊技ユニット装着後に手作業でコネクタの接続を行う必要が無く、作業性の向上等が実現される。
【先行技術文献】
【特許文献】
【０００４】
【特許文献１】特開２００４−２６７６９５号公報
【発明の概要】
【発明が解決しようとする課題】
【０００５】
しかしながら、上述したタイプの遊技機においては、電気部品の動作の安定化や保護等を図る上で電気的な接続に係る構成に未だ改善の余地がある。
【０００６】
本発明は、上記例示した事情等に鑑みてなされたものであり、接続作業の容易化を図りつつ電気的な接続を好適なものとすることができる遊技機を提供することを目的とする。
【課題を解決するための手段】
【０００７】
以下、上記課題を解決するための手段について記載する。
【０００８】
本発明は、
電気部品が搭載されてなる遊技ユニットが支持対象によって回動可能に支持されている遊技機であって、
前記遊技ユニットに設けられたユニット側コネクタと、
前記支持対象に設けられ、前記遊技ユニットの装着位置への変位に基づいて前記ユニット側コネクタと接続され、前記遊技ユニットの前記装着位置からの変位に基づいて前記ユニット側コネクタと分離される支持対象側コネクタと
を備え、
前記ユニット側コネクタ及び前記支持対象側コネクタは、前記遊技ユニットの回動中心軸線方向に複数列となるように配列された接続端子を有してなり、
前記接続端子として、電源用接続端子と、前記電源用接続端子に対して前記遊技ユニットの回動先端側となる位置に設けられた第１グランド用接続端子と、前記電源用接続端子に対して前記遊技ユニットの回動基端側となる位置に設けられた第２グランド用接続端子とを含み、
前記第１グランド用接続端子は、前記第２グランド用接続端子とは異なる列に配設されていることを特徴とする。
【発明の効果】
【０００９】
接続作業の容易化を図りつつ電気的な接続を好適なものとすることができる。
【図面の簡単な説明】
【００１０】
【図１】第１の実施の形態におけるパチンコ機を示す正面図である。
【図２】パチンコ機の主要な構成を展開して示す斜視図である。
【図３】前扉枠の構成を示す背面図である。
【図４】内枠の構成を示す正面図である。
【図５】遊技盤ユニットの構成を示す正面図である。
【図６】内枠の構成を示す背面図である。
【図７】パチンコ機の構成を示す背面図である。
【図８】裏パックユニットの構成を示す正面図である。
【図９】内枠から遊技盤ユニットを取り外した状態を示す正面斜視図である。
【図１０】図４のＡ−Ａ線部分断面図である。
【図１１】開放された前扉枠と遊技盤ユニット及び挿入部との位置関係を示す概略図である。
【図１２】遊技盤ユニットの部分拡大図である。
【図１３】接続機構及びそれに関連する構成を示す水平断面図（図４のＢ−Ｂ線部分断面図）である。
【図１４】内枠から接続機構にかかる構成を取り外した状態を示す分解斜視図である。
【図１５】図４のＣ−Ｃ線部分断面図である。
【図１６】各コネクタの接続態様を示す概略図である。
【図１７】遊技盤ユニットの着脱時のコネクタの移動経路を示す概略図である。
【図１８】遊技盤から接続機構にかかる構成を取り外した状態を示す分解斜視図である。
【図１９】（ａ）遊技盤ユニットの背面図、（ｂ）（ａ）のＤ−Ｄ線部分断面図、（ｃ）遊技盤ユニット装着時の変形の様子を示す概略図である。
【図２０】パチンコ機の電気的構成を示すブロック図である。
【図２１】当否抽選などに用いられる各種カウンタの内容を説明するための説明図である。
【図２２】遊技盤ユニットの接続に係る構成を示すブロック図である。
【図２３】遊技盤側コネクタの接続端子と内枠側コネクタの接続端子との関係を示す概略図である。
【図２４】接続／解除の様子を示す概略図である。
【図２５】第２の実施の形態におけるコネクタを示す概略図である。
【図２６】第３の実施の形態における遊技盤ユニットの接続に係る構成を示すブロック図である。
【図２７】（ａ）接続端子の配列を示す概略図、（ｂ）接続端子の配列に係る変形例を示す概略図である。
【発明を実施するための形態】
【００１１】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１４】
この外枠１１によって遊技機主部１２が開閉可能な状態で支持されている。具体的には、外枠１１における上枠部と左枠部との連結部分に上側支持用金具が固定されており、さらに外枠１１における下枠部と左枠部との連結部分に下側支持用金具が設けられている。これら上側支持用金具及び下側支持用金具により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１５】
図２に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。
【００１６】
前扉枠１４は、パチンコ機１０の正面視で左側を回動基端側、右側を回動先端側として前方へ回動可能となるようにして内枠１３に取り付けられており、裏パックユニット１５は、パチンコ機１０の正面視で左側を回動基端側、右側を回動先端側として後方へ回動可能となるようにして内枠１３に取り付けられている。
【００１７】
ここで、前扉枠１４について説明する。なお、以下の説明では、図１及び図２を参照するとともに、前扉枠１４の背面の構成については図３を参照する。図３は前扉枠１４の背面図である。
【００１８】
図２に示すように、前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前扉枠１４の背面側から覆われている（図３参照）。
【００１９】
図３に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が形成されている。ガラスユニット３０は、ガラスユニット設置部２２に嵌まることで上下方向及び左右方向への変位が規制されている。
【００２０】
ガラスユニット３０は、透明性を有するガラスパネル３１と、それらガラスパネル３１を保持するガラスホルダ３３とを備えている。ガラスホルダ３３は、窓部２１に沿って形成された環状の枠部を有しており、同枠部によって囲まれた領域にガラスパネル３１が収容され、それらガラスパネル３１によって遊技領域ＰＥがパチンコ機１０の正面側から２重に覆われる構成となっている。
【００２１】
枠部には、ガラスパネル３１を収容している側とは反対側に突出するようにして枠体２０に対する取付部が複数形成されている。これら取付部は枠体２０の背面に対向する板状をなしており、枠体２０には、それら取付部を同枠体２０との間に挟んで挟持するレバー部材２３が設けられている。レバー部材２３は、取付部を挟持する挟持位置と挟持しない解除位置とに回動可能な状態で取り付けられている。レバー部材２３において取付部と対向している部分には同取付部側に突出する凸部が形成されており、同凸部が取付部に形成された凹部に嵌まることにより、上記挟持位置から解除位置への移動が規制された状態、すなわち挟持位置にて保持された状態となっている。
【００２２】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。また、環状電飾部２４の中央であってパチンコ機１０の最上部には所定のエラー時に点灯するエラー表示ランプ部２５が設けられ、窓部２１の左右両側には賞球払出中に点灯する賞球ランプ部２６が設けられている。また、中央のエラー表示ランプ部２５に近接した位置には、遊技状態に応じた効果音などが出力されるスピーカ部２７が設けられている。
【００２３】
前扉枠１４における窓部２１の下方には、手前側へ膨出した上側膨出部２８と下側膨出部２９とが上下に並設されている。上側膨出部２８内側には上方に開口した上皿２８ａが設けられており、下側膨出部２９内側には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２４】
下側膨出部２９と横並びになる位置には、手前側へ突出するようにして遊技球発射ハンドル４１が設けられている。遊技球発射ハンドル４１が操作されることにより、後述する遊技球発射機構から遊技球が発射される。
【００２５】
前扉枠１４の背面には、図２及び図３に示すように、通路形成ユニット５０が取り付けられている。通路形成ユニット５０には、上皿２８ａに通じる前扉側上皿通路５１と、下皿２９ａに通じる前扉側下皿通路５２とが設けられている。通路形成ユニット５０において、その上側隅部には後方に突出し上方に開放された受口部５３が形成されており、当該受口部５３を仕切壁５４（図２参照）によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿２８ａに導かれ、前扉側下皿通路５２に入った遊技球は下皿２９ａに導かれる。
【００２６】
次に、図４に基づき内枠１３について詳細に説明する。図４は内枠１３の正面図である。なお、図４においては、図２と同様にパチンコ機１０の遊技領域内の構成を省略している。
【００２７】
内枠１３は、外形が外枠１１とほぼ同一形状をなす樹脂ベース７０を主体に構成されている。樹脂ベース７０の前面における回動基端側（図４の左側）には、その上端部及び下端部に支持金具７１，７２が取り付けられている。また、前扉枠１４の背面における回動基端側（図３の右側）には、それら支持金具７１，７２に対応させて突起軸６１，６２が設けられている。図示は省略するが、支持金具７１，７２には軸孔が形成されており、それら軸孔に前扉枠１４の突起軸６１，６２が挿入されることにより、内枠１３に対して前扉枠１４が回動可能に支持されている。つまり、これら支持金具７１，７２及び突起軸６１，６２は内枠１３に対する組付機構を構成している。
【００２８】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材６３が複数設けられている。前扉用鉤部材７６が鉤受け部材６３に引っ掛かることにより前扉枠１４が閉じた状態で施錠される。また、施錠装置７５は、内枠１３の後方へ延びる内枠用鉤部材７７を有している。これら内枠用鉤部材７７が外枠１１の鉤受け部材１９（図２参照）に引っ掛かることにより遊技機主部１２が外枠１１に対して閉じた状態で施錠される。
【００２９】
樹脂ベース７０の右下隅部には、施錠装置の解錠操作を行うためのシリンダ錠７８が設置されている。シリンダ錠７８は施錠装置に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００３０】
樹脂ベース７０前面の略中央部分には、遊技盤ユニット８０を収容する遊技盤収容部７３が形成されている。遊技盤収容部７３は、パチンコ機１０の後方に凹み、遊技盤ユニット８０を収容する収容空間を区画しており、樹脂ベース７０に取り付けられた遊技盤ユニット８０がその収容空間に嵌まった状態となっている。本実施の形態においては特に、遊技盤ユニット８０が樹脂ベース７０に対して着脱可能に取り付けられており、メンテナンス作業等の容易化が図られている。
【００３１】
遊技盤ユニット８０は、木製の合板と同合板における前側の板面を覆うシート材とによって構成された遊技盤８０ａを有してなり、その前面が遊技盤収容部７３の開放部分を通じて樹脂ベース７０の正面側に露出している。この露出している部位、すなわち遊技盤８０ａの前面には、遊技球が流下する遊技領域ＰＥが形成されている。既に説明したように遊技領域ＰＥはガラスパネル３１によって覆われている。ガラスパネル３１は、遊技盤８０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０ａは木製に限定されるものではなく、合成樹脂材料を用いて形成することも可能である。
【００３２】
以下、図５に基づき遊技盤ユニット８０（特に遊技領域ＰＥに配された各種構成）について説明する。図５は遊技盤ユニット８０の正面図である。
【００３３】
遊技盤ユニット８０（詳しくは遊技盤８０ａ）には、自身の厚さ方向（前後方向）に貫通する大小複数の開口が形成されている。各開口には、一般入賞口８１、可変入賞装置８２、作動口８４，８５、スルーゲート８６、主表示ユニット８７及び可変表示ユニット８８等がそれぞれ配設されている。一般入賞口８１、可変入賞装置８２及び作動口８４，８５に遊技球が入ると、それら遊技球が後述する検知センサにより検知され、その検知結果に基づいて所定数の賞球の払い出し等の特典が遊技者に付与される。その他に、遊技盤ユニット８０の最下部にはアウト口８９が設けられており、各種入賞口等に入らなかった遊技球はアウト口８９を通って遊技領域ＰＥから排出される。以下の説明では、アウト口８９への遊技球の入球と明確に区別するために、一般入賞口８１、可変入賞装置８２、作動口８４，８５、スルーゲート８６への遊技球の入球を、入賞とも表現する。
【００３４】
また、遊技盤ユニット８０（詳しくは遊技盤８０ａ）には、遊技球の流下経路を適宜分散，調整等するために多数の釘９０が植設されているとともに、風車等の各種部材（役物）が配設されている。これら釘９０や風車等の各種構成によって、遊技球の流下経路が分化され、上述した一般入賞口８１等への入賞が適度な確率で発生するように調整されている。
【００３５】
上記可変表示ユニット８８は遊技盤ユニット８０の中央に配されており、同可変表示ユニット８８の周辺に作動口８４，８５等が配設されている。作動口８４，８５は、可変表示ユニット８８の下方に配設された下側の作動口８４（以下便宜上、下作動口８４と称する）と、同可変表示ユニット８８の右方に配設された右側の作動口８５（以下便宜上、右作動口８５と称する）とによって構成されており、特に右作動口（抽選契機入球部）８５には、開閉式の入球補助装置（入球補助手段）又は開閉部材（開閉手段）としての電動役物９１が設けられている。電動役物９１は、左右一対の可動片９１ａと同可動片９１ａを駆動させるソレノイド式の駆動部とを有してなり、右作動口８５への入球が可能又は容易となる開状態（補助状態）と、同入球が不可又は困難となる閉状態（非補助状態）とに切替可能となっている。
【００３６】
右作動口８５の上方には、上記スルーゲート８６が配置されており、遊技球のスルーゲート８６の通過をトリガとした抽選にて当選となった場合には、電動役物９１が所定時間だけ開状態となる。
【００３７】
なお、下作動口８４への入球が発生した場合には３個の遊技球の払出が実行され、右作動口８５への入球が発生した場合には４個の遊技球の払出が実行されるが、遊技球の払出個数は上記のものに限定されることはない。但し、下作動口８４に対する右作動口８５の有利性を高める上では、下作動口８４に係る払出個数よりも右作動口８５に係る払出個数を多く設定することが好ましい。
【００３８】
可変入賞装置（特別入球装置又は特別入球手段）８２は、遊技盤ユニット８０の背面側へと通じる大入賞口８２ａを備えているとともに、当該大入賞口８２ａを開閉する開閉部材（開閉手段）としての開閉扉８２ｂを備えている。開閉扉８２ｂは、遊技球の入球が可能又は容易となる開状態（補助状態）と、同入球が不可又は困難となる閉状態（非補助状態）とに切替可能となっている。また、同開閉扉８２ｂは、遊技盤ユニット８０の背面側に設けられた可変入賞駆動部８２ｃ（詳しくはソレノイド）と連結されており、通常時においては開閉扉８２ｂは閉状態のまま維持され、内部抽選において開閉実行モード（開閉実行状態）への移行に当選した場合に開状態に切り替えられるようになっている。
【００３９】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば１５ラウンド）を上限とした開閉扉８２ｂの開放が繰り返されるように設定されているものがある。
【００４０】
次に、可変表示ユニット８８について説明する。可変表示ユニット８８には、作動口８４，８５への入賞をトリガとして図柄を可変表示する図柄表示装置９６が設けられている。また、可変表示ユニット８８には、図柄表示装置９６を囲むようにしてセンターフレーム９７が配設されている。センターフレーム９７の下部には、下作動口８４に対応する下作動口用保留ランプ部９８と、右作動口８５に対応する右作動口用保留ランプ部９９とが設けられている。本実施の形態においては、遊技球が各作動口８４，８５を通過した回数はそれぞれ最大４回まで保留される構成となっているが、保留ランプ部９８，９９の点灯によって各作動口８４，８５に対応する保留個数が個別に表示されるようになっている。
【００４１】
図柄表示装置９６は、液晶ディスプレイを備えた液晶表示装置として構成されており、後述する表示制御装置により表示内容が制御される。図柄表示装置９６には、例えば上、中及び下に並べて図柄が表示され、これらの図柄が左右方向にスクロールされるようにして変動表示されるようになっている。そして、予め設定されている有効ライン上に所定の組合せの図柄が停止表示された場合には、特別遊技状態（以下、大当たりという）が発生することとなる。
【００４２】
作動口８４，８５は、可変表示ユニット８８寄りとなる位置に配置されている。作動口８４，８５への入賞をトリガとして、大当たりが発生し得るため、遊技者は作動口８４，８５に入賞するか否かに注目するとともに、大当たりが発生するか否かを把握するため図柄表示装置９６に注目するものと考えられる。作動口８４，８５を可変表示ユニット８８寄りに設けたことは、遊技者が注目したい箇所を可変表示ユニット８８周辺に集中させるための工夫である。
【００４３】
可変表示ユニット８８を挟んで可変入賞装置８２とは反対側には、上記主表示ユニット８７が配されている。主表示ユニット８７は、遊技領域ＰＥの下部側の外縁に沿って配置されており、遊技盤８０aの前面からパチンコ機１０前方に突出している。主表示ユニット８７の前面は、遊技領域ＰＥをパチンコ機１０前方から視認可能とする上記ガラスユニット３０（詳しくは後側のガラスパネル３１）と対向しており、さらに後側のガラスパネル３１との間の距離は遊技球１個分よりも狭くなっている。これにより、主表示ユニット８７の前面の前方を遊技球が落下することが回避されている。
【００４４】
ここで、主表示ユニット８７について補足説明する。
【００４５】
主表示ユニット８７においてガラスユニット３０と対向している部分には、所定の絵柄等が表示される主表示部Ｄが設けられている。主表示部Ｄは、下作動口８４への入賞に基づいた抽選結果を表示する下作動口用表示部と、右作動口８５への入賞に基づいて行われた抽選結果を表示する右作動口用表示部とを有してなる。
【００４６】
下作動口用表示部では、下作動口８４への入賞をトリガとして絵柄の変動表示が行われ、その変動表示の停止結果として、下作動口８４への入賞に基づいて行われた内部抽選の結果が明示される。下作動口８４への入賞に基づく内部抽選の結果が開閉実行モードへの移行に対応した当選結果であった場合には、下作動口用表示部ＤＬにて変動表示が停止され、停止結果として所定の絵柄が表示された後に、上記開閉実行モードへ移行される。
【００４７】
右作動口用表示部では、右作動口８５への入賞をトリガとして絵柄の変動表示が行われ、その変動表示の停止結果として、右作動口８５への入賞に基づいて行われた内部抽選の結果が明示される。右作動口８５への入賞に基づく内部抽選の結果が大当たり又は特別当たりに対応した当選結果であった場合には、右作動口用表示部にて変動表示が停止され、停止結果として所定の絵柄が表示された後に、その結果に応じて上記開閉実行モード又は抽選結果確定モードに移行される。
【００４８】
ここで、いずれかの作動口８４，８５への入賞に基づいて、対応する表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口８４，８５への入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とすることも可能である。
【００４９】
また、主表示ユニット８７の主表示部Ｄには両表示部以外に、スルーゲート８６への入賞に基づいた抽選結果を表示するスルーゲート用表示部が併設されている。スルーゲート用表示部では、スルーゲート８６への入賞をトリガとして絵柄の変動表示が行われ、その変動表示の停止結果として、スルーゲート８６への入賞に基づいて行われた内部抽選の結果が明示される。スルーゲート８６への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、右作動口８５に設けられた上記電動役物９１が所定の態様で開放される。
【００５０】
更に、本実施の形態においては遊技球がスルーゲート８６を通過した回数は最大４回まで保留される構成が採用されているが、主表示ユニット８７の主表示部Ｄにはその保留個数を表示する保留数用表示部が設けられている。
【００５１】
これら各表示部については、前扉枠１４のガラスユニット３０を通じてパチンコ機１０前方から視認可能となっているとともに、これら表示部の前方を遊技球が移動することが回避されることで視認性が担保されている。
【００５２】
再び図４を用いて説明すれば、樹脂ベース７０における遊技盤収容部７３（遊技盤ユニット８０）の下方には、遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に対してネジ止めされることで内枠１３に対して一体化されている。
【００５３】
発射レール１１２は、遊技盤ユニット８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパ１１５が配されている。球ストッパ１１５よりも更に下流側となる位置に、上記ソレノイド１１１が配置されている。
【００５４】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤ユニット８０側、詳しくは遊技盤ユニット８０に装着された誘導レール１００に向けて打ち出される。
【００５５】
誘導レール１００は、遊技領域区画部材１０８とともに遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤ユニット８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００５６】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００５７】
同図４に示すように、誘導レール１００及び発射レール１１２は、同誘導レール１００の入口部分１０４と発射レール１１２の先端部分とが遊技盤ユニット８０の下端縁を挟んで斜めに対峙するように配置されている。つまり、それら両レール１００，１１２は、同誘導レール１００の入口部分１０４と発射レール１１２の先端部分とが遊技盤ユニット８０の下端縁近傍にて左右にずれるようにして配置されている。これにより両レール１００，１１２を遊技盤ユニット８０の下端縁に近づけつつ、誘導レール１００の入口部分１０４と発射レール１１２との間には所定間隔の隙間を形成している。
【００５８】
このようにして形成された隙間よりも下側にはファール球通路５５（図２参照）が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２９ａに排出される。これにより、ファール球と次に発射される遊技球との干渉が抑制される。
【００５９】
また、樹脂ベース７０には、遊技盤収容部７３からの遊技盤ユニット８０の取り外しを不可とするロック状態と、同遊技盤ユニット８０の取り外しを許容するアンロック状態とに切替可能（手動操作可能）なロック装置７９が複数設けられている。具体的には、ロック装置７９は遊技盤ユニット８０の右上部及び右下部に配置されている。
【００６０】
ロック装置７９は、遊技盤ユニット８０の背面に当接する当接部が形成された受け部材と、当該受け部材と対をなし遊技盤ユニット８０を遊技機前方から押さえる押え部が形成された押え部材と、それら受け部材及び押え部材をそれぞれ動作可能に保持するベース部材とを有し、ベース部材が樹脂ベース７０に固定されることで内枠１３に一体化されている。受け部材及び押え部材によって遊技盤ユニット８０を前後から挟み込むことで、遊技盤ユニット８０の前後位置が既定される構成となっている。
【００６１】
樹脂ベース７０において発射レール１１２の左方（詳しくは前扉枠１４を支持している側）には、樹脂ベース７０を前後方向に貫通する貫通孔に通路形成部材１３１が配設されている。通路形成部材１３１は、樹脂ベース７０に対してネジ止めされており、本体側上皿通路１３２と本体側下皿通路１３３とを有している。それら本体側上皿通路１３２及び本体側下皿通路１３３の上流側は、後述する遊技球分配部に通じている。また、通路形成部材１３１の下方には前扉枠１４に取り付けられた通路形成ユニット５０の受口部５３が入り込んでおり、本体側上皿通路１３２の下方には前扉側上皿通路５１が配置され、本体側下皿通路１３３の下方には前扉側上皿通路５１が配置されている（図２参照）。
【００６２】
樹脂ベース７０において通路形成部材１３１の下方には、本体側上皿通路１３２及び本体側下皿通路１３３からの遊技球の流出を規制するシャッタ１３４が設けられている。シャッタ１３４は、両通路の出口部分を狭め遊技球の流出を阻止する阻止位置と、遊技球の流出を許容する許容位置との両位置に切り替え可能な状態で樹脂ベース７０によって支持されている。また、樹脂ベース７０にはシャッタ１３４を阻止位置に向けて付勢する付勢部材が取り付けられており、前扉枠１４を内枠１３に対して開いた状態では付勢部材の付勢力によってシャッタ１３４が阻止位置に留まる構成となっている。これにより、本体側上皿通路１３２又は本体側下皿通路１３３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１３４が許容位置に押し戻される。この状態では、本体側上皿通路１３２及び前扉側上皿通路５１と、本体側下皿通路１３３及び前扉側下皿通路５２とがそれぞれ連通し、遊技球の移動が許容されることとなる。
【００６３】
次に、図６に基づき内枠１３（樹脂ベース７０及び遊技盤ユニット８０）の背面構成について説明する。図６は内枠１３の背面図である。
【００６４】
樹脂ベース７０の背面における回動基端側（図６の右側）には、軸受け金具１３６が取り付けられている。軸受け金具１３６には、上下に離間させて軸受け部１３７が形成されており、これら軸受け部１３７により内枠１３に対して裏パックユニット１５が回動可能に取り付けられている。
【００６５】
樹脂ベース７０における遊技盤収容部７３の底部分（後述する対向板部２５１）には樹脂ベース７０の厚さ方向に貫通し同樹脂ベース７０の背面側に開放された中央開口７４が形成されており、その中央開口７４が遊技盤収容部７３に収容された遊技盤ユニット８０によって内枠１３の正面側から覆われている。遊技盤ユニット８０の背面には制御装置等の各種構成が搭載されており、それら各種構成は中央開口７４を通じて内枠１３の背側に露出した状態となっている。
【００６６】
遊技盤ユニット８０の背面には、可変表示ユニット８８を遊技盤ユニット８０に対して搭載する合成樹脂製の台座部材１４１が固定されている。台座部材１４１は、遊技盤ユニット８０側に開放された略箱状をなしており遊技盤ユニット８０の背面のほぼ全域を覆っている。台座部材１４１の一部は樹脂ベース７０の中央開口７４を通じて同樹脂ベース７０の背面側に突出しており、その突出した部分に対して上述した図柄表示装置９６と、その図柄表示装置９６を駆動するための表示制御装置とが取り付けられている。これら図柄表示装置９６及び表示制御装置は前後方向（樹脂ベース７０の厚さ方向）に図柄表示装置が前側且つ表示制御装置が後側となるように重ねて配置されている。さらに、遊技盤ユニット８０には、表示制御装置の後方に位置するようにして報知・演出制御装置ユニット１４２が搭載されている。報知・演出制御装置ユニット１４２は、報知・演出制御装置１４３と、取付台とを具備する構成となっており、取付台上に報知・演出制御装置１４３が装着されている。
【００６７】
報知・演出制御装置１４３は、後述する主制御装置からの指示に従い音声やランプ表示、及び表示制御装置の制御を司る報知・演出制御基板を具備しており、報知・演出制御基板が透明樹脂材料等よりなる基板ボックス１４５に収容されて構成されている。
【００６８】
報知・演出制御装置ユニット１４２の下方には、台座部材１４１を後方から覆うようにして主制御装置ユニット１６０が設けられている。主制御装置ユニット１６０は、遊技盤ユニット８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００６９】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部によって開封不能に連結され、これにより基板ボックス１６３が封印されている。ボックス封印部は、基板ボックス１６３の短辺部に複数設けられ、そのうち少なくとも１つが用いられて封印処理が行われる。
【００７０】
ボックス封印部はボックスベースとボックスカバーとを開封不能に結合する構成であれば任意の構成が適用できるが、ボックス封印部を構成する係止孔部に係止ピンを挿入することでボックスベースとボックスカバーとが開封不能に結合されるようになっている。ボックス封印部による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００７１】
基板ボックス１６３と取付台１６１とは台座封印部によって開封不能に連結されている。詳しくは、台座封印部は、ボックス封印部と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００７２】
台座部材１４１において遊技盤ユニット８０の背面と対向している部分には、前記一般入賞口８１、可変入賞装置８２、下作動口８４、右作動口８５の遊技盤開口部に対応し且つ下流側で１カ所に集合する回収通路が形成されている。これにより、一般入賞口８１等に入賞した遊技球は何れも回収通路を介して遊技盤ユニット８０の下方に集合する構成となっている。つまり、台座部材１４１には各種入賞口に入賞した遊技球を回収する機能が付与されている。
【００７３】
遊技盤ユニット８０の下方には後述する排出通路が配されており、回収通路によって遊技盤ユニット８０の下方に集合した遊技球は排出通路内に導出される。なお、アウト口８９についても同様に排出通路に通じており、何れの入賞口にも入賞しなかった遊技球はアウト口８９を介して排出通路内に導出される。
【００７４】
また、上記回収通路には、遊技盤ユニット８０表側の一般入賞口８１に入賞した遊技球を検知する入賞口スイッチと、可変入賞装置８２に入賞した遊技球を検知するカウントスイッチと、作動口８４，８５に入った遊技球を検知する作動口スイッチとが装着されており、それら各種スイッチによって入賞検知機構が構成されている。更に、台座部材１４１において可変表示ユニット８８の左右両側には、スルーゲート８６を通過する遊技球を検知するゲートスイッチが設けられている。これら各種スイッチは主制御装置１６２に対して電気的に接続されており、各スイッチによる検知情報が同主制御装置１６２に出力される構成となっている。
【００７５】
次に、図７及び図８に基づき裏パックユニット１５について説明する。図７はパチンコ機１０の背面図、図８は裏パックユニット１５の正面図である。
【００７６】
図７に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００７７】
裏パック２０１は透明性を有する合成樹脂により成形されており、図８に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８８を囲むのに十分な大きさを有する（図７参照）。
【００７８】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３７に挿通させることで、裏パックユニット１５が内枠１３に対して回動可能に支持されている。ベース部２１１には、内枠１３に設けられた固定レバーが挿通される複数の挿通部２１５が形成されており、固定レバーが挿通部２１５に挿通された状態にてベース部２１１に後方から当接することにより内枠１３に対して裏パックユニット１５が固定されている。
【００７９】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に固定された遊技球分配部２２５に供給される。
【００８０】
遊技球分配部２２５は、払出装置２２４より払い出された遊技球を上皿２８ａ、下皿２９ａの何れかに振り分けるための機能を有している。
【００８１】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８２】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００８３】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００８４】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００８５】
基板ボックス２４４，２４６については、内蔵された各基板を当該基板ボックス２４４，２４６の外部から視認可能となるように透明性を有する合成樹脂によって形成されている。そして、払出制御基板及び電源・発射制御基板は、一方の板面が各種素子等の搭載面となっており、他方の板面が半田面となっている。そして、搭載面が遊技機後方を向くように（半田面が内枠１３側（遊技機前方）を向くように）して配置されることで、メンテナンス等の際に、各制御基板に異常が発生していないか等を目視で容易に確認できる構成となっている。
【００８６】
（遊技盤ユニット８０の取付構造）
ここで、図４、９及び図１０に基づき遊技盤ユニット８０の取付構造について説明する。図９は内枠１３から遊技盤ユニット８０を取り外した状態を示す斜視図、図１０は図４のＡ−Ａ線部分断面図である。
【００８７】
遊技盤ユニット８０は、既に説明したように内枠１３の遊技盤収容部７３に対して同内枠１３の正面側から嵌まっている（図４参照）。図９に示すように、遊技盤収容部７３は、遊技盤ユニット８０の背面に対向する平板状の対向板部２５１と、同対向板部２５１から起立し遊技盤ユニット８０の周縁に沿って延びる周壁部２６１とによって構成されている。対向板部２５１は、その略中央に上述した中央開口７４が形成されており、内枠１３の正面視において略矩形枠状をなしている。周壁部２６１は、遊技盤ユニット８０における上下左右の各端面に対して個々に対向する上側壁部２６２，下側壁部２６３，左側壁部２６４，右側壁部２６５が連なってなり、全体として遊技盤ユニット８０を囲む環状をなしている。なお、周壁部２６１は中央開口７４を囲むようにして形成されているとも言える。
【００８８】
内枠１３の左側壁部２６４、すなわち前扉枠１４を支持している側の壁部２６４には、遊技盤ユニット８０の前方への変位を抑える複数のストッパ部２７１が設けられている。各ストッパ部２７１は、左側壁部２６４の内壁面から遊技盤収容部７３側へ張り出しており、遊技盤ユニット８０（詳しくは後述する第２レールカバー４００）に対してパチンコ機１０の前方から当接している。また、各ストッパ部２７１は、遊技盤収容部７３内に収められており、前扉枠１４側への突出が抑えられている。
【００８９】
それらストッパ部２７１は、遊技盤ユニット８０の上端寄り及び下端寄りとなる位置に配置されており、遊技盤ユニット８０の変位をバランスよく抑えることが可能となっている。ストッパ部２７１の配置に関して補足すれば、上端寄りのストッパ部２７１Ｕは、上記誘導レール１００において遊技盤ユニット８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤ユニット８０の前面側にて好適に共存させ、ストッパ部２７１の採用に起因した遊技領域ＰＥの圧迫を抑制している。
【００９０】
内枠１３には、左側壁部２６４の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前扉枠１４に連結されている部分を補強し、更にはストッパ部２７１の変形を抑制している。
【００９１】
以上詳述したストッパ部２７１と対向板部２５１とによって、遊技盤ユニット８０の一側部を挿入可能な挿入部２９０が構成されている（図１０参照）。挿入部２９０は、前扉枠１４の回動基端側に位置し、内枠１３において同前扉枠１４を支持している側とは反対側からの遊技盤ユニット８０の挿入を許容すべく同内枠１３の回動先端側（右側壁部２６５側）に開放されている。特にストッパ部２７１と対向板部２５１（詳しくは後述するリブを除いた部分）との隙間寸法は、遊技盤ユニット８０の厚さ寸法よりも大きく設定されている。これにより、遊技盤ユニット８０を挿入部２９０に対して斜め前方から挿入可能とするとともに、同挿入部２９０に挿入された遊技盤ユニット８０を当該挿入部２９０を中心として回動可能としている。また、挿入部２９０の挿入口を斜め前方に向けることにより、遊技盤挿入時に遊技盤ユニット８０が前扉枠１４の後方への張出部分や内枠１３の右側枠部１３ｄ（図９参照）等に干渉することを抑制している。
【００９２】
なお、ストッパ部２７１の先端部において遊技盤ユニット８０と対向している部位には面取りが施されており、挿入部２９０の入口部分が拡張されている。これにより、上記隙間寸法を大きくし、遊技盤ユニット８０を斜めに挿入する際のストッパ部２７１と遊技盤ユニット８０との引っ掛かりを抑制している。
【００９３】
挿入部２９０（ストッパ部２７１群）の下方、詳しくは内枠１３において左側壁部２６４と下側壁部２６３とが交わる位置には（図９参照）、挿入部２９０に挿入された遊技盤ユニット８０を仮置き可能な仮置き部１３５が設けられている。仮置き部１３５は、上記通路形成部材１３１に形成され、挿入部２９０側（上方）を向く面状をなしている。なお、仮置き部１３５は、必ずしも通路形成部材１３１に形成する必要はなく、樹脂ベース７０に形成することも可能である。
【００９４】
仮置き部１３５は、遊技盤収容部７３の下側壁部２６３よりも上側に位置しているとともに、遊技盤ユニット８０の下端部に対して対向している。一方、遊技盤ユニット８０における回動基端側の下隅部にはこの仮置き部１３５に対応した切欠き部９５が形成されている（図５参照）。遊技盤ユニット８０を挿入部２９０に挿入し回動させる場合には、この仮置き部１３５に対して遊技盤ユニット８０の切欠き部９５が仮置き（一時的に載置）されることで同遊技盤ユニット８０の重量の少なくとも一部が内枠１３の樹脂ベース７０によって支えられることとなる。これにより、遊技盤ユニット８０を装着する際の作業負担を減らし、遊技盤ユニット８０の回動操作の容易化を図っている。
【００９５】
また、仮置き部１３５は、挿入部２９０よりも同挿入部２９０の開放先側に延びている。これにより、挿入部２９０に挿入する前に遊技盤ユニット８０を仮置き可能となっており、更なる作業の容易化に貢献している。
【００９６】
遊技盤ユニット８０を着脱する際には、内枠１３の正面側から作業が行われる。この際、言うまでも無く前扉枠１４が開放された状態で作業が行われる。ここで、開放された前扉枠１４と遊技盤ユニット８０及び挿入部２９０との位置関係について図１１に基づき補足説明する。図１１は、開放された前扉枠１４と遊技盤ユニット８０及び挿入部２９０との位置関係を示す概略図である。
【００９７】
前扉枠１４は内枠１３に設けられた上記支持金具７１，７２によって回動可能に軸支されており、この軸支された部分（回動中心軸線ＣＬ）を中心として開閉される構成となっている。支持金具７２には前扉枠１４の最大開放位置を規定する規定部７２ａが形成されている（図９参照）。前扉枠１４が開放され、規定部７２ａに対して当たった場合には、それ以上の開放が不可となる。本実施の形態においては、前扉枠１４の最大開放量が凡そ１００°に設定されている。これは、パチンコ機１０がホール等の島設備に設置された状態にて前扉枠１４が開放された場合に、隣接して設けられた他の遊技機等に対して同前扉枠１４が干渉しないように、また隣接する遊技機での遊技を妨げないようにするための工夫である。なお、前扉枠１４の最大開放量は１００°に限定されるものではない。少なくとも遊技盤ユニット８０の着脱が許容される範囲であれば任意に設定してよい。
【００９８】
前扉枠１４の回動中心軸線ＣＬは同前扉枠１４の前面寄りに位置しており、前扉枠１４を閉じた状態にて内枠１３の内側に当該前扉枠１４の回動基端部分が嵌まり込む構成となっている。これにより、前扉枠１４と内枠１３との境界部位（特に前扉枠１４の回動基端側の境界部位）を介して不正具が挿入されるといった不都合を生じにくくし、防犯機能の強化を図っている。
【００９９】
この回動中心軸線ＣＬの後方に上記挿入部２９０が配置されている。前扉枠１４は所定の厚さを有しているため、上述の如く最大開放位置まで開放された場合であってもその背面の一部が挿入部２９０よりも右側（前扉枠１４を支持している側とは反対側）に張り出した状態となる。挿入部２９０は、その張出部分よりも奥まった位置に存在しているものの、遊技盤ユニット８０を出し入れする際に当該遊技盤ユニット８０の通過する軌道ＰＬと前扉枠１４との干渉が回避されるようにしてその挿入口の向きが定められている。これにより、遊技盤ユニット８０を装着する際の前扉枠１４の張り出し部分と遊技盤ユニット８０との干渉が抑えられている。
【０１００】
（遊技盤ユニット８０の支持機構）
本実施の形態においては特に、遊技盤ユニット８０を着脱する際の同遊技盤ユニット８０の姿勢を安定させて着脱軌道のばらつきを抑える工夫が施されている。以下、図９及び図１２を参照して、当該工夫にかかる構成について説明する。図１２は遊技盤ユニット８０の部分拡大図である。なお、図１２においては、内枠１３にかかる構成を２点鎖線によって表示している。
【０１０１】
遊技盤８０ａの前面側には、外レール１０２の一部を遊技領域ＰＥとは反対側から覆うようにしてレールカバー３００が設けられている。レールカバー３００は、遊技盤８０ａの前面に面当たりするようにして形成された平板状のベース部３０１と、ベース部３０１から正面側へ起立し外レール１０２に沿って延びる起立部３０２とを有してなり、ベース部３０１が遊技盤８０aにネジ止めされることで、当該遊技盤８０ａと一体化されている。レールカバー３００のベース部３０１については、遊技盤ユニット８０が内枠１３に装着された状態にて、遊技盤８０ａの端部とともに上記挿入部２９０内に入り込んでおり、同ベース部３０１の前面がストッパ部２７１に当接している。
【０１０２】
なお、本実施の形態においては、挿入部２９０の前後幅寸法が、遊技盤８０aにおいて挿入部２９０に挿入されている部分の厚さ寸法とレールカバー３００（詳しくはベース部３０１）の厚さ寸法との和よりも僅かに小さく設定されている。このため、遊技盤ユニット８０が装着完了位置に配置した状態では、遊技盤ユニット８０が挿入部２９０に対して強干渉した状態となる。このように、挿入部２９０に対して遊技盤ユニット８０を強干渉させることにより、回動基端側での遊技盤ユニット８０の前後位置のばらつきを抑えている。
【０１０３】
レールカバー３００（起立部３０２）の上端部は上側のストッパ部２７１Ｕよりも僅かに上方に位置しており、当該上端部には遊技機前方に延びるアーム部３０３が形成されている。アーム部３０３は上記ストッパ部２７１の上面２７２と若干の隙間を挟んで対向しており、その対向している部分にはストッパ部２７１側に凸となる突起３０４が形成されている。この突起３０４に対応させてストッパ部２７１の上面２７２には下方に凹んだ受け部２７５が形成されている。受け部２７５と突起３０４とが係合することで、遊技盤ユニット８０が突起３０４（受け部２７５）を中心として回動可能となる。かかる構成とすることにより、遊技盤ユニット８０を着脱する際の姿勢が安定し、着脱軌道のばらつきが抑えられている。
【０１０４】
なお、突起３０４において挿入部２９０側を向いている部分にはアーム部３０３の先端部分から根元部分に向けて下り傾斜する傾斜面３０５が形成されており、遊技盤ユニット８０を挿入部２９０に挿入する際には傾斜面３０５がストッパ部２７１の上面２７２及び側面２７３の境界部位に当たる。これにより、アーム部３０３がその根元部分（起立部３０２と繋がっている部分）を基端として撓み変形し、突起３０４がストッパ部２７１の上面２７２へと導かれる。この後、アーム部３０３が弾性力によって変形前の状態に復帰することにより、突起３０４が受け部２７５に係合することとなる（引っ掛かることとなる）。このようにして突起３０４が受け部２７５に引っ掛かることにより、挿入部２９０からの遊技盤ユニット８０の脱落が阻止される。
【０１０５】
既に説明したように、突起３０４が受け部２７５に対して引っ掛かっている状態では、遊技盤ユニット８０がそれら突起３０４及び受け部２７５の引っ掛かり位置よりも回動先端側にて仮置き部１３５に載っている。つまり、遊技盤ユニット８０が仮置き部１３５によって支えられた状態にて、遊技盤ユニット８０の脱落が阻止されている。これにより、遊技盤ユニット８０の重さ等による負荷が突起３０４や受け部２７５に集中することを好適に回避している。
【０１０６】
以上詳述したように、遊技盤ユニット８０を遊技機前方から装着可能とすることで、メンテナンス等の際の遊技盤ユニット８０の着脱作業の容易化が図られている。そして、本実施の形態においては、更なる作業性の向上を図るべく遊技盤ユニット８０を内枠１３に対して着脱することで遊技盤ユニット８０と内枠１３とが電気的に接続／分離される構成が採用されている。以下、図１３を参照して、遊技盤ユニット８０と内枠１３とを電気的に接続するための接続機構について説明する。図１３は接続機構及びそれに関連する構成を示す水平断面図（図４のＢ−Ｂ線部分断面図）である。
【０１０７】
（コネクタ接続機構）
図１３に示すように、接続機構は、内枠１３側に設けられた内枠側コネクタ４０１，４０２と、遊技盤ユニット８０側に設けられた遊技盤側コネクタ４５１，４５２とを有してなり、遊技盤ユニット８０が装着完了位置に配置されることで遊技盤側コネクタ４５１，４５２と内枠側コネクタ４０１，４０２とが結合（係合）され、遊技盤ユニット８０が取り外されることで遊技盤側コネクタ４５１，４５２と内枠側コネクタ４０１，４０２との結合（係合）が解除される構成となっている。
【０１０８】
先ず、図１４及び図１５を参照して、内枠側コネクタ４０１，４０２に係る構成について説明する。図１４は内枠１３から接続機構にかかる構成を取り外した状態を示す分解斜視図、図１５は図４のＣ−Ｃ線部分断面図である。なお、図１５においては説明の便宜上、遊技盤ユニット８０に係る構成を省略している。
【０１０９】
図１４に示すように、内枠側コネクタ４０１，４０２は、それら各内枠側コネクタ４０１，４０２に１対１で対応させて設けられたコネクタ用基板４１１，４１２に個別に取り付けられている。コネクタ用基板４１１，４１２は、一方の板面が内枠側コネクタ４０１，４０２の搭載面４１１ａ，４１２ａ、他方の板面が半田面となっており、搭載面４１１ａ，４１２ａが遊技機正面側を向くようにして配設されている。
【０１１０】
コネクタ用基板４１１，４１２の取付構造について説明すると、樹脂ベース７０において遊技盤ユニット８０の回動先端部に対応する部分（詳しくは下側壁部２６３と右側壁部２６５との境界付近）に、コネクタ用基板４１１，４１２を収容可能な基板取付ベース４１５が配設されている。
【０１１１】
基板取付ベース４１５は、遊技機後方に開放された略箱状をなしており、その下側半分が樹脂ベース７０の背面に後方から対向し、上側半分が周壁部２６１を越えて中央開口７４側へ突出するようにして樹脂ベース７０に固定されている。基板取付ベース４１５の前面部（底部４１６）において中央開口７４側に突出している部分には、前後に開放された開放部４１７，４１８が左右横並びとなるようにして形成されている。これら各開放部４１７，４１８は内枠側コネクタ４０１，４０２に１対１で対応しており、コネクタ用基板４１１，４１２が底部４１６に対して遊技機背面側から取り付けられることで、内枠側コネクタ４０１，４０２がそれら開放部４１７，４１８を通じて遊技機前方に露出した状態となっている（図１５参照）。
【０１１２】
より詳しくは、底部４１６にはコネクタ用基板４１１を取り付けるための取付部４２１と、コネクタ用基板４１２を取り付けるための取付部４２２とが各々設けられており、各コネクタ用基板４１１，４１２を個別に取り付け可能となっている。取付部４２２は、遊技機斜め前方（前扉枠１４の回動先端側）を向くようにして傾斜する面状をなしており、これら取付部４２２に対してコネクタ用基板４１２が面当たりすることで、それら各コネクタ用基板４１１，４１２の向きが僅かに異なる構成となっている。かかる構成についての詳細は後述する。なお、各コネクタ用基板４１２については、遊技機斜め前方を向いているものの、その前後位置（詳しくは内枠側コネクタ４０１，４０２の前後位置）についてはほぼ同じになっている。これにより、遊技機におけるコネクタの占有領域が上下／左右に拡がることを抑制している。
【０１１３】
上述したように、内枠側コネクタ４０１，４０２を斜め前方を向くように傾けつつ前後位置を揃えることで、詳細については後述するがそれら内枠側コネクタ４０１，４０２と対を成す遊技盤側コネクタ４５１，４５２についても同様の配置が実現できる。遊技盤ユニット８０の背面には、遊技盤側コネクタ４５１，４５２以外にも可変表示ユニット８８や制御装置１４３，１６２等の各種構成が搭載される。遊技盤８０ａの左右／上下の大きさに限りがある点を考慮すれば、上述したように遊技盤ユニット８０の背面側にてコネクタの占有領域をできるだけ小さくすることができ、周辺構成とコネクタとを好適に共存させることができる。
【０１１４】
コネクタ用基板４１１，４１２には、内枠側コネクタ４０１，４０２の下方に位置するようにして中継コネクタ４０３，４０４が併設されている。コネクタ用基板４１１，４１２が基板取付ベース４１５に取り付けられた状態では、内枠側コネクタ４０１，４０２が開放部４１７，４１８を通じて遊技機正面側に露出している一方で、中継コネクタ４０３，４０４は基板取付ベース４１５とコネクタ用基板４１１，４１２とによって囲まれることで同基板取付ベース４１５の外部への露出が抑えられている。中継コネクタ４０３，４０４については、裏パックユニット１５の電源・発射制御装置２４３及び払出制御装置２４２から延びる各ハーネスが接続されており、その接続箇所については、外部からのアクセスが妨げられている。これにより、防犯性の向上が図られている。
【０１１５】
ここで、内枠側コネクタ４０１，４０２については、中継コネクタ４０３，４０４と比較して、露出している部分が多い。しかしながら、このような露出については、遊技盤ユニット８０を装着完了位置に配置することで回避されるように工夫が施されている。
具体的には、図１６に示すように、遊技盤ユニット８０が装着完了位置に配置されて内枠側コネクタ４０１，４０２と遊技盤側コネクタ４５１，４５２が接続された状態では、遊技盤ユニット８０（詳しくは後述する台座等）によって内枠側コネクタ４０１，４０２の露出部分が覆われることとなる。つまり、遊技盤ユニット８０を装着することで、コネクタに対する防犯機能が飛躍的に向上することとなる。これにより、内枠側コネクタ４０１，４０２の露出を許容して遊技盤側コネクタ４５１，４５２との結合（係合）を許容したとしても、それに起因して防犯機能が低下することを抑制することができる。
【０１１６】
内枠側コネクタ４０１，４０２は、全体として横長となるように形成された合成樹脂製のコネクタ本体４０６，４０７と、コネクタ本体４０６，４０７の長手方向（水平方向）に並べて設けられた複数の接続端子（詳しくはオス端子）４０８，４０９とによって構成されている。ここで、図１３、図１６及び図１７を参照して、内枠側コネクタ４０１，４０２（接続端子４０８，４０９）の向きについて補足説明する。図１６は各コネクタの接続態様を示す概略図、図１７は遊技盤ユニット８０の着脱時のコネクタの移動経路を示す概略図である。
【０１１７】
なお、以下の説明においては、両内枠側コネクタ４０１，４０２のうち遊技盤ユニット８０が装着された状態にて同遊技盤ユニット８０の回動先端部側（右側）に位置する一方を「第１内枠側コネクタ４０１」、回動基端部側（左側）となる他方を「第２内枠側コネクタ４０２」と称し、上記両遊技盤側コネクタ４５１，４５２のうち第１内枠側コネクタ４０１に対応するものを「第１遊技盤側コネクタ４５１」、第２内枠側コネクタ４０２に対応するものを「第２遊技盤側コネクタ４５２」と称する。
【０１１８】
因みに、主制御装置１６２は、第１内枠側コネクタ４０１、第１遊技盤側コネクタ４５１を及び中継コネクタ４０３を介して払出制御装置２４２と電気的に接続されており、第２内枠側コネクタ４０２、第２遊技盤側コネクタ４５２及び中継コネクタ４０４を介して電源・発射制御装置２４３と電気的に接続されている。
【０１１９】
図１６に示すように、第１内枠側コネクタ４０１は、遊技盤ユニット８０の回動中心部を構成する受け部２７５よりも後方に配置されている。遊技盤ユニット８０の回動中心部（受け部２７５）を中心として第１内枠側コネクタ４０１及び第１遊技盤側コネクタ４５１の接続箇所（以下、第１結合箇所ＣＰ１という）を通過する第１仮想円ＦＣ１を想定した場合には、当該第１結合箇所ＣＰ１の中央部分を通過する第１仮想円ＦＣ１の接線（以下、第１接線ＴＬ１という）が遊技機の斜め前方（右斜め前方）を向いている。これに合せて、コネクタ本体４０６の挿入口４０６ａの向きと、第１内枠側コネクタ４０１の接続端子４０８の向きとが第１接線ＴＬ１と同じ方向となるように上記取付部４２１（図１３等参照）が形成されている。
【０１２０】
このように、第１内枠側コネクタ４０１が斜め前方を向くように配置したことに合せて、第１遊技盤側コネクタ４５１を斜め後方を向くように配置している。具体的には、第１遊技盤側コネクタ４５１のコネクタ本体４５６の挿入部４５６ａの向きと、接続端子（詳しくはメス端子）４５８の向きとが第１接線ＴＬ１と同じ方向となるようにして第１遊技盤側コネクタ４５１が配置されている。
【０１２１】
第２内枠側コネクタ４０２についても第１内枠側コネクタ４０１と同様に、遊技盤ユニット８０の回動中心部を構成する受け部２７５よりも後方に配置されている。遊技盤ユニット８０の回動中心部（受け部２７５）を中心として第２内枠側コネクタ４０２及び第２遊技盤側コネクタ４５２の結合箇所（以下、第２結合箇所ＣＰ２という）を通過する第２仮想円ＦＣ２を想定した場合には、当該第２結合箇所ＣＰ２の中央部分を通過する第２仮想円ＦＣ２の接線（以下、第２接線ＴＬ２という）が遊技機の斜め前方（右斜め前方）を向いている。これに合せて、コネクタ本体４０７の挿入口４０７ａの向きと、接続端子４０９の向きとが第２接線ＴＬ２と同じ方向となるように上記取付部４２２が形成されている。
【０１２２】
このように、第２内枠側コネクタ４０２を斜め前方を向くように配置したことに合せて、第２遊技盤側コネクタ４５２を斜め後方を向くように配置している。具体的には、第２遊技盤側コネクタ４５２のコネクタ本体４５７の挿入部４５７ａと接続端子（詳しくはメス端子）４５９の向きとが第２接線ＴＬ２と同じ方向となるように上記取付部４２２（図１３等参照）が形成されている。
【０１２３】
つまり、両第１コネクタ４０１，４５１が接続され、両第２コネクタ４０２，４５２が接続された状況下にて、第１内枠側コネクタ４０１のコネクタ本体４０６と第１遊技盤側コネクタ４５１のコネクタ本体４５６との結合面が第１接線ＴＬ１と同じ方向を向き、第２内枠側コネクタ４０２と第２遊技盤側コネクタ４５２との結合面が第２接線ＴＬ２と同じ方向を向くように構成されている。
【０１２４】
本実施の形態においては、遊技盤ユニット８０を回動させて内枠１３に対して着脱する構成となっている。このため、遊技盤ユニット８０の回動時に遊技盤側コネクタ４５１，４５２が通過する軌道は円弧状をなす（図１７参照）。上述したように、内枠側コネクタ４０１，４０２及び遊技盤側コネクタ４５１，４５２の向きを設定することにより、接続の円滑化を実現するだけでなく、結合時（係合時）及び結合完了状態（係合完了状態）にて各コネクタ４０１，４０２，４５１，４５２に歪等が生じることを抑制している。
【０１２５】
コネクタを横に並べて配置しているため、遊技盤ユニット８０の回動中心部から各結合箇所ＣＰ１，ＣＰ２までの距離寸法に差が生じている。つまり、第１仮想円ＦＣ１の半径寸法Ｒ１と第２仮想円ＦＣ２の半径寸法Ｒ２とが相違している。このため、第１接線ＴＬ１と、第２接線ＴＬ２とは平行とならず、前後方向に対する傾きは第１接線ＴＬ１よりも第２接線ＴＬ２のほうが大きくなっている。これに合せて、第２内枠側コネクタ４０２の遊技機側方への傾きも第１内枠側コネクタ４０１の遊技機側方への傾きよりも大きくなっている。つまり、遊技盤ユニット８０の回動中心部寄りに配置されている第２内枠側コネクタ４０２のほうが、より遊技機側方へ向いた状態となっている。
【０１２６】
電気的接続にかかる構成（コネクタ）を複数の組合せ（ブロック）に分けて、各コネクタの向きを個々に設定することで、コネクタ接続時にコネクタ同士の強干渉が生じて同コネクタに歪等の不都合が生じることを回避している。特に、コネクタがある程度の横幅を有している場合には、接線からコネクタの端部までの距離が大きくなることで、理想的な接線の傾きと現実の接線の傾きとの差が大きくなる。このため、大型のコネクタを採用した場合には、上記干渉の発生を抑えることが困難になると想定される。この点、本実施の形態においては、コネクタを複数に分けてコネクタの大型化を抑えることで、そのような不都合の発生を抑制している。
【０１２７】
また、第２内枠側コネクタ４０２の横幅Ｗ２が第１内枠側コネクタ４０１の横幅Ｗ１よりも小さく設定されている。上述したコネクタ同士の干渉度合いは、回動中心部に近づくにしたがって大きくなりやすい。そして、上述したようなコネクタの向きの調整を行った場合には、コネクタの左右の端部に生じる誤差が大きくなりやすい。そこで、横幅が相対的に小さい一方を回動中心部側、横幅が相対的に大きい他方を回動先端部側となるように配置することで、上記誤差の影響が強くなることを回避している。
【０１２８】
（遊技盤側コネクタ４５１，４５２の取付構造）
次に、図１８及び図１９を参照して遊技盤側コネクタ４５１，４５２の取付構造について説明する。図１８は遊技盤ユニット８０から接続機構にかかる構成を取り外した状態を示す分解斜視図、図１９（ａ）は遊技盤ユニット８０の背面図、図１９（ｂ）は図１９（ａ）のＤ−Ｄ線部分断面図である。
【０１２９】
図１８に示すように、遊技盤ユニット８０の背面には、遊技盤側コネクタ４５１，４５２を遊技盤ユニット８０に取り付けるための中間部材として台座４６１が設けられている。台座４６１は、遊技盤ユニット８０の下側隅部、詳しくは遊技盤ユニット８０の回動先端側の端部であって上述した可変入賞装置８２の下方に位置し、上記回収通路１５１が形成された回収板１５０と横並びとなるようにして配設されている。
【０１３０】
台座４６１は、遊技盤ユニット８０の背面に隙間を隔てて対向する対向部４６２を有している。対向部４６２は、遊技盤ユニット８０の幅方向に延びる長板状をなしており、同幅方向における一方の端部（回収板１５０とは反対側の端部）には、遊技盤ユニット８０の背面側に延びる脚部４６３が形成されている。一方、対向部４６２の他方の端部（回収板１５０側の端部）には、回収板１５０から後方に突出した突出部１５２が挿入される挿入部４６４が形成されている。脚部４６３が遊技盤ユニット８０にネジ止めされ、挿入部４６４と突出部１５２とが係合することで、台座４６１が遊技盤ユニット８０に一体化されている。
【０１３１】
対向部４６２には、第１遊技盤側コネクタ４５１が挿通される開口部４６６と、第２遊技盤側コネクタ４５２が挿通される開口部４６７とが各々形成されており、対向部４６２に対して遊技盤ユニット８０側（遊技機前方）から両遊技盤側コネクタ４５１，４５２が挿通されている。これにより、遊技盤側コネクタ４５１，４５２の結合部分（係合部分）が、遊技盤ユニット８０の後方に露出した状態となっている。
【０１３２】
図１９（ｃ１），（ｃ２）の概略図に示すように、対向部４６２、脚部４６３、突出部１５２は撓み変形（弾性変形）可能に形成されており、それら各部位成が弾性変形することで、遊技盤側コネクタ４５１，４５２の位置や姿勢（向き）を変化させることが可能なっている。
【０１３３】
このため、遊技盤ユニット８０を着脱する際に、遊技盤側コネクタ４５１，４５２と内枠側コネクタ４０１，４０２とが衝突した場合には、同衝突によって発生する衝撃が上記弾性変形によって緩和される。
【０１３４】
また、遊技盤ユニット８０が回動式となっているため、遊技盤側コネクタ４５１，４５２及び内枠側コネクタ４０１，４０２の結合（係合）が開始された初期（コネクタ本体同士の結合初期段階）と結合（係合）が完了する終期（コネクタ本体同士の結合完了段階）とでは理想となる結合方向（係合方向）と現実の結合方向（係合方向）との間にズレが生じる。より具体的には、上述したように遊技盤側コネクタ４５１，４５２と内枠側コネクタ４０１，４０２との向きを遊技機斜め前方に傾けて、各接線ＴＬ１，ＴＬ２と一致させたとしても、それは接続が完了した状態でのことであり、接続が完了する前は遊技盤側コネクタ４５１，４５２の向きと、内枠側コネクタ４０１，４０２の向きとが完全に一致するものではない。つまり、遊技盤側コネクタ４５１，４５２と内枠側コネクタ４０１，４０２とが結合（係合）を開始した初期は、それら各コネクタの向きに若干のズレが生じていることとなる。
【０１３５】
この点、本実施の形態においては、図１９（ｃ３）の概略図に示すように対向部４６２等の弾性変形によって遊技盤側コネクタ４５１，４５２の姿勢（向き）を変化させることができる。故に、結合開始時に遊技盤側コネクタ４５１，４５２や内枠側コネクタ４０１，４０２に歪が発生することを回避可能となっている。これにより、利便性の向上を図りつつ、それに起因してコネクタ本来の接続機能が損なわれることを抑制することができる。
【０１３６】
また、本実施の形態においては、遊技盤側コネクタ４５１，４５２が上述した結合方向（係合方向）と直交する方向、すなわち遊技盤側コネクタ４５１，４５２の接続端子４５８，４５９が向いている方向と直交する方向へ変位可能な状態で保持されている。つまり、遊技盤ユニット８０に対して上下・左右への相対変位が許容された状態で遊技盤側コネクタ４５１，４５２が保持されている。
【０１３７】
更に、遊技盤側コネクタ４５１，４５２において内枠側コネクタ４０１，４０２に挿入される先端部分（挿入部４５６ａ，４５７ａ）及び内枠側コネクタ４０１，４０２の挿入口４０６a，４０７ａには、遊技盤ユニット８０の装着完了位置への移動に伴って遊技盤側コネクタ４５１，４５２を適正な結合位置に向けて誘導する誘導傾斜部が形成されている。遊技盤ユニット８０については回動可能となっているため、その回動先端側では、上下方向や左右方向での位置ばらつきが大きくなると想定される。そこで、遊技盤側コネクタ４５１，４５２を可変式とし、遊技盤ユニット８０の移動に併せてコネクタ同士の位置調整を行う構成とすることで、そのような位置ばらつきを許容しやすくなっている。
【０１３８】
遊技盤ユニット８０が装着完了位置に配置され、遊技盤側コネクタ４５１，４５２と内枠側コネクタ４０１，４０２との結合（係合）が完了した後、すなわちコネクタ本体４０６，４０７とコネクタ本体４５６，４５７の結合が完了した後は、各コネクタの向きと接続方向とが一致する。これにより、仮に結合初期にコネクタ間に歪等が発生している場合であっても結合完了位置への到達に伴い、両コネクタの向きが一致することで当該歪が解消されることとなる。このような歪を許容すべく上述した台座４６１の変形が生じている場合であっても、当該変形が不要となり、対向部４６２等に蓄えられた弾性力によって台座４６１等が元の状態に復帰することとなる。故に、対向部４６２と遊技盤ユニット８０との隙間が元の大きさに戻ることとなる。
【０１３９】
遊技盤側コネクタ４５１，４５２が可変式であるのに対して、内枠側コネクタ４０１，４０２については固定式となっている。つまり、少なくともコネクタ接続時に内枠側コネクタ４０１，４０２の位置や姿勢が変化することはない。コネクタ接続が完了した場合には、内枠側コネクタ４０１，４０２によって遊技盤側コネクタ４５１，４５２の位置や姿勢が規制されることとなるため、都度の接続時の遊技盤側コネクタ４５１，４５２の姿勢等にばらつきが生じることを抑制することができる。これにより、過度に大きな変形を許容する構造が不要となり、更には台座４６１にかかる負担を軽減することが可能となる。
【０１４０】
本実施の形態においては、遊技盤側コネクタ４５１，４５２の上方には、上述した可変入賞装置８２が位置しており、当該可変入賞装置８２から排出された遊技球が対向部４６２と遊技盤ユニット８０との間を通るようにして落下する構成となっている。つまり、上記隙間は遊技中には遊技球用の通路として機能し、遊技中以外（詳しくは遊技盤ユニット８０の着脱時）には緩衝用の変形領域として機能する。これのように状況に応じて同じ隙間が異なる機能を発揮する構成とすることで、球通路とコネクタとを遊技盤ユニット８０の背面という限られた領域内にて共存させることが可能となっている。
【０１４１】
特に、上記隙間を過度に大きくして遊技球の通過領域を常に確保する必要がないため、遊技盤側コネクタ４５１，４５２にかかる構成（特に台座４６１）が無駄に大型化することを抑えることができる。
【０１４２】
以上詳述したように、遊技盤ユニット８０を着脱することで遊技盤ユニット８０と内枠１３とが電気的に接続される構成とすれば、作業者が遊技盤ユニット８０を着脱する際に別途コネクタの結合／分離作業を行う必要がなくなる。これにより、作業性の向上が図られている。
【０１４３】
しかしながら、遊技盤ユニット８０の変位に基づいて遊技盤側コネクタ４５１，４５２と内枠側コネクタ４０１，４０２とが結合される構成においては、遊技盤ユニット８０が勢いよく装着完了位置に向けて移動した場合に、コネクタ同士が接触すると、当該コネクタに加わる衝撃が大きくなると想定される。遊技盤ユニット８０がある程度の重量があることを考慮すれば、このような衝撃については、無視できない大きさになり得る。そして、このような衝撃に耐えることができるようにコネクタの構造やその取付構造等を工夫しようとすれば、コネクタの小型化や配置領域の減縮等が難しくなると想定される。
【０１４４】
そして、如何に上述した各種構成により、遊技盤側コネクタ４５１，４５２と内枠側コネクタ４０１，４０２とを円滑に接続させようとしても、コネクタ４０１，４０２，４５１，４５２やそれに付随する構成に変形や破損等が生じることで、当該円滑化機能が上手く発揮されなくなると想定される。そこで、本実施の形態においては、そのような不都合の発生を抑えるために幾つかの工夫が施されている。具体的には、（１）遊技盤ユニット８０の装着時の姿勢を更に安定させることでコネクタ同士の相対位置のずれを抑える構成、（２）コネクタの接続が開始される前に遊技盤ユニット８０の装着完了位置に向けた変位を抑えて遊技盤ユニット８０の勢いを弱める構成が採用されている。以下、これらの構成について説明する。
【０１４５】
（遊技盤用の姿勢制御）
先ず、図５及び図９を参照して工夫（１）にかかる構成について説明する。内枠１３の樹脂ベース７０において中央開口７４の下端縁に沿う部分には、既に説明したように左右に延びる平面状の下側壁部２６３が形成されている。下側壁部２６３は上方を向いており、遊技盤ユニット８０が装着完了位置に配置された状態では当該下側壁部２６３上に遊技盤ユニット８０が載る。つまり、下側壁部２６３には遊技盤ユニット８０が載置される載置部としての機能が付与されている。
【０１４６】
遊技盤ユニット８０の一端部を上記挿入部２９０へ挿入した状態では、遊技盤ユニット８０が上記仮置き部１３５に載った状態となっており、下側壁部２６３と遊技盤ユニット８０との接触が回避されている。遊技盤ユニット８０の下面と切欠き部９５の下面との高低差は、仮置き部１３５の上面と下側壁部２６３との高低差よりも大きく設定されている。このため、遊技盤ユニット８０を装着完了位置に向けて回動させると、遊技盤ユニット８０の下端部が下側壁部２６３に乗り上げた状態となり、これに併せて遊技盤ユニット８０が仮置き部１３５から離間することとなる。
【０１４７】
遊技盤ユニット８０の装着完了位置に向けた回動を継続すると、遊技盤ユニット８０の下面と下側壁部２６３との接触範囲が大きくなる。そして、内枠側コネクタ４０１，４０２の前方にて遊技盤ユニット８０の下面と下側壁部２６３との接触が確保された後に遊技盤側コネクタ４５１，４５２と内枠側コネクタ４０１，４０２との結合（係合）が開始されることとなる。つまり、コネクタの結合（係合）が開始される時点では、少なくとも遊技盤ユニット８０（詳しくは回動先端部）の上下位置のばらつきが抑えられた状態となり、コネクタ同士の結合が円滑に行われやすくなる。
【０１４８】
（遊技盤用の減勢機構）
次に、図４を参照して工夫（２）にかかる構成について説明する。
【０１４９】
既に説明したように、樹脂ベース７０には遊技盤ユニット８０の取り外しを規制する規制手段としてロック装置７９が設けられており、ロック装置７９は遊技盤ユニット８０の背面に当接する上記受け部材を有している。遊技盤ユニット８０を装着完了位置に向けて移動させる場合には、遊技盤ユニット８０が受け部材に当たる。受け部材はコイルバネによって遊技機前方に付勢されており、受け部材に当たった遊技盤ユニット８０に対してコイルバネの付勢力が遊技盤ユニット８０の移動を妨げる抗力として作用することとなる。つまり、遊技盤ユニット８０の勢いがロック装置７９によって低減される。
【０１５０】
特に、同抗力が十分に大きく設定されており、過度に大きな操作力が加わった場合を除き遊技盤ユニット８０が受け部材に当接した位置で一旦停止させることが可能となっている。
【０１５１】
ここで、遊技盤側コネクタ４５１，４５２と内枠側コネクタ４０１，４０２とは、遊技盤ユニット８０と受け部材とが当たって遊技盤ユニット８０の勢いが弱められた後に接続を開始することとなる。つまり、遊技盤ユニット８０が装着完了位置へ向けて押し込まれる等した場合には、その勢いを保ったまま遊技盤側コネクタ４５１，４５２と内枠側コネクタ４０１，４０２とが当たることが回避され、少なくとも装着完了位置へ向けた遊技盤ユニット８０の勢いを弱めた状態でコネクタ同士の結合（係合）が開始される。これにより、コネクタ同士が勢いよく衝突するといった不都合を生じにくくしている。
【０１５２】
また、ロック装置７９は遊技機正面視にてコネクタ４０１，４０２，４５１，４５２を挟んだ上下に配置されている。このため、遊技盤ユニット８０の動きを妨げるたとしても、遊技盤ユニット８０の姿勢が変化することを抑制可能となっている。このため、遊技盤側コネクタ４５１，４５２が上下に傾く等して、コネクタの結合方向（係合方向）にずれが生じることを抑制することができる。故に、減勢機能を発揮させることに起因して、コネクタの結合（係合）が難しくなることを抑えることができる。
【０１５３】
（パチンコ機１０の電気的構成）
次に、図２０のブロック図を参照してパチンコ機１０の電気的構成の概要について説明する。
【０１５４】
主制御装置１６２に設けられた主制御基板６０１には、ＭＰＵ６０２が搭載されている。ＭＰＵ６０２は、当該ＭＰＵ６０２により実行される各種の制御プログラムや固定値データを記憶したＲＯＭ６０３と、そのＲＯＭ６０３内に記憶される制御プログラムの実行に際して各種のデータ等を一時的に記憶するためのメモリであるＲＡＭ６０４と、割込回路、タイマ回路、データ入出力回路、乱数発生器としての各種カウンタ回路などが内蔵された素子である。なお、ＭＰＵ６０２が有する機能の一部、例えば、ＲＯＭ６０３の機能やＲＡＭ６０４の機能などを別の素子として有する構成としてもよい。
【０１５５】
ＭＰＵ６０２には、入力ポート及び出力ポートがそれぞれ設けられている。ＭＰＵ６０２の入力側には、主制御装置１６２に設けられた停電監視基板６０５、払出制御装置２４２及び各種検知センサなどが接続されている。停電監視基板６０５には電源・発射制御装置２４３が接続されており、ＭＰＵ６０２には停電監視基板６０５を介して電力が供給される。
【０１５６】
各種検知センサの一部として、一般入賞口８１への入賞を検知する検知センサ９５ａ、可変入賞装置８２への入賞を検知する検知センサ９５ｂ、下作動口８４への入賞を検知する検知センサ９５ｃ、右作動口８５への入賞を検知する検知センサ９５ｄ、スルーゲート８６への入球を検知する検知センサ９５ｅが接続されており、主制御装置１６２のＭＰＵ６０２において各入球部への入賞判定（入球判定）が行われる。また、ＭＰＵ６０２では、下作動口８４及び右作動口８５への入賞に基づいて大当たり発生抽選を実行するとともに、スルーゲート８６への入賞に基づいてサポート発生抽選を実行する。
【０１５７】
ＭＰＵ６０２の出力側には、停電監視基板６０５、払出制御装置２４２及び報知・演出制御装置１４３が接続されている。払出制御装置２４２には、例えば、上述した作動口８４，８５等の入賞対応入球部への入賞判定結果に基づいて賞球コマンドが出力される。この場合、賞球コマンドの出力に際しては、ＲＯＭ６０３のコマンド情報記憶エリア６０３ｄが参照される。そして、一般入賞口８１への入賞を特定した場合には１０個の遊技球の払出に対応した賞球コマンドが出力され、可変入賞装置８２への入賞を特定した場合には１５個の遊技球の払出に対応した賞球コマンドが出力され、下作動口８４への入賞を特定した場合には３個の遊技球の払出に対応した賞球コマンドが出力され、右作動口８５への入賞を特定した場合には４個の遊技球の払出に対応した賞球コマンドが出力される。報知・演出制御装置１４３には、主制御装置１６２から変動用コマンド、種別コマンド、変動終了コマンド、オープニングコマンド及びエンディングコマンドなどの各種コマンドが出力される。この場合、これら各種コマンドの出力に際しては、ＲＯＭ６０３のコマンド情報記憶エリア６０３ｄが参照される。なお、上記各コマンドは、所定のバイト数の情報として構成されており、当該所定のバイト数の情報として各種情報が含まれている。
【０１５８】
また、ＭＰＵ６０２の出力側には、可変入賞装置８２の開閉体（例えばシャッタ部材）を開閉動作させる可変入賞駆動部８２ｃ、右作動口８５の電動役物９１を開閉動作させる電動役物駆動部９１ｃ及び主表示ユニット８７が接続されている。主制御基板６０１には各種ドライバ回路が設けられており、当該ドライバ回路を通じてＭＰＵ６０２は各種駆動部の駆動制御を実行する。
【０１５９】
つまり、開閉実行モードにおいては可変入賞装置８２が開閉されるように、ＭＰＵ６０２において可変入賞駆動部の駆動制御が実行される。また、電動役物９１のサポート抽選に当選した場合には、電動役物９１が開閉されるように、ＭＰＵ６０２において電動役物駆動部９１ｃの駆動制御が実行される。また、ＭＰＵ６０２によって主表示ユニット８７の主表示部の表示制御が実行される。
【０１６０】
さらには、ＭＰＵ６０２の出力側に外部端子板２１３が接続されており、この外部端子板２１３を通じて遊技ホール側の管理制御装置（ホールコンピュータＨＣ）に対して各種入球部への入球情報や大当たり等の抽選結果に関する情報が出力される。これにより、ホールコンピュータＨＣにてパチンコ機１０の状態等を把握することが可能となっている。
【０１６１】
停電監視基板６０５は主制御基板６０１と電源・発射制御装置２４３とを中継しており、同停電監視基板６０５には電源・発射制御装置２４３から出力される最大電圧である直流安定２４ボルトの電圧を監視する機能が付与されている。払出制御装置２４２は、主制御装置１６２から入力した賞球コマンドに基づいて、払出装置２２４により賞球や貸し球の払出制御を行うものである。
【０１６２】
電源・発射制御装置２４３は、例えば、遊技場等における商用電源（外部電源）に接続されている。そして、その商用電源から供給される外部電力に基づいて主制御基板６０１や払出制御装置２４２等に対して各々に必要な動作電力を生成するとともに、その生成した動作電力を所定の電力経路を通じて供給する。また、電源・発射制御装置２４３は、遊技球発射機構１１０の発射制御を担うものであり、遊技球発射機構１１０は所定の発射条件が整っている場合に駆動される。
【０１６３】
報知・演出制御装置１４３には、ＭＰＵが搭載された報知・演出制御基板が設けられている。ＭＰＵには、当該ＭＰＵにより実行される各種の制御プログラムや固定値データを記憶したＲＯＭと、そのＲＯＭ内に記憶される制御プログラムの実行に際して各種のデータ等を一時的に記憶するためのメモリであるＲＡＭと、割込回路、タイマ回路、データ入出力回路等の各種回路等が内蔵されている。なお、ＭＰＵに対してＲＯＭ及びＲＡＭが１チップ化されていることは必須の構成ではなく、それぞれが個別にチップ化された構成としてもよい。報知・演出制御装置１４３のＭＰＵは、主制御装置１６２から入力された各種コマンドに基づいて、前扉枠１４に設けられたランプ部２４〜２６、スピーカ部２７等を駆動制御するとともに、表示制御装置６１０を制御するものである。
【０１６４】
表示制御装置６１０では、報知・演出制御装置１４３から入力したコマンドに基づいて、図柄表示装置９６の表示制御を実行する。この場合に、報知・演出制御装置１４３では、主制御装置１６２から入力した各種コマンドに基づいて、図柄表示装置９６における図柄の変動表示態様（例えばリーチ発生の有無及びリーチ演出の内容等）や図柄の停止表示態様（変動表示の終了に伴い最終的に停止表示させる図柄の組み合わせの種類）を決定する。
【０１６５】
（各種カウンタについて）
次に、上記の如く構成されたパチンコ機１０の動作について説明する。
【０１６６】
ＭＰＵ６０２は遊技に際し各種カウンタ情報を用いて、大当たり発生抽選、主表示ユニット８７（主表示部）の表示の設定、図柄表示装置９６の図柄表示の設定などを行うこととしており、具体的には、図１５に示すように、大当たり発生の抽選に使用する大当たり乱数カウンタＣ１と、確変大当たり結果や通常大当たり結果等の大当たり種別を判定する際に使用する大当たり種別カウンタＣ２と、図柄表示装置９６が外れ変動する際のリーチ抽選に使用するリーチ乱数カウンタＣ３と、大当たり乱数カウンタＣ１の初期値設定に使用する乱数初期値カウンタＣＩＮＩと、主表示ユニット８７の作動口用表示部及び図柄表示装置９６における変動表示時間（変動表示期間）を決定する変動種別カウンタＣＳとを用いることとしている。さらに、右作動口８５の電動役物９１を電役開放状態とするか否かの抽選に使用する電動役物開放カウンタＣ４を用いることとしている。
【０１６７】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新され、その更新値がＲＡＭ６０４の所定領域に設定された抽選カウンタ用バッファ４３１に適宜格納される。ＲＡＭ６０４には、保留用エリアＲＥ及び実行エリアＡＥを有する保留球格納エリア６０４ｂが設けられている。そして、この保留球格納エリア６０４ｂに、下作動口８４又は右作動口８５への遊技球の入賞履歴に合わせて、大当たり乱数カウンタＣ１、大当たり種別カウンタＣ２及びリーチ乱数カウンタＣ３の各値が時系列的に格納されるようになっている。
【０１６８】
各カウンタについて詳しくは、大当たり乱数カウンタＣ１は、例えば０〜５９９の範囲内で順に１ずつ加算され、最大値（つまり５９９）に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が下作動口８４又は右作動口８５に入賞したタイミングでＲＡＭ６０４の保留球格納エリア６０４ｂに格納される。なお、図２１においては、下作動口８４用の保留用エリアを例示しており、右作動口８５用の保留用エリアについては下作動口８４用の保留用エリアと同様の構成であるため記載を省略している。
【０１６９】
大当たり当選となる乱数の値は、ＲＯＭ６０３における当否情報群記憶手段としての当否テーブル記憶エリア６０３ａに当否テーブル（当否情報群）として記憶されている。ここで、当否テーブルの内容について説明する。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。
【０１７０】
上記抽選に際して低確率モード用の当否テーブルが参照されることとなる遊技状態下では、大当たり当選となる乱数の値（すなわち、当選情報）は「７」及び「３０７」の２個である。つまり「０〜５９９」の大当たり乱数カウンタＣ１の値のうち「７」及び「３０７」が大当たり結果に対応している。一方、上記抽選に際して高確率モード用の当否テーブルが参照されることとなる遊技状態下では、大当たり当選となる乱数の値（すなわち、当選情報）は「７」，「３６」・・・「５７２」、「５９８」の２１個である。つまり「０〜５９９」の大当たり乱数カウンタＣ１の値のうち「７」，「３６」・・・「５７２」、「５９８」が大当たり結果に対応している。因みに、低確率モードよりも高確率モードの方の当選確率が高くなるのであれば、上記当選となる乱数の数及び値は任意である。
【０１７１】
なお、各抽選モードにおいて、大当たり当選となる乱数の値以外は、抽選結果が外れ結果となる。
【０１７２】
大当たり種別カウンタＣ２は、０〜２９の範囲内で順に１ずつ加算され、最大値（つまり２９）に達した後０に戻る構成となっている。ここで、本実施の形態では、複数の大当たり結果が設定されている。これら複数の大当たり結果は、（１）開閉実行モード終了後の当否抽選手段における抽選モード、（２）開閉実行モード終了後の電動役物９１によるサポートモードという３つの条件に差異が設けられている。
【０１７３】
右作動口８５の電動役物９１におけるサポートモードとしては、遊技領域ＰＥに対して同様の態様で遊技球の発射が継続されている状況で比較した場合に、右作動口８５の電動役物９１が単位時間当たりに開放状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０１７４】
具体的には、低頻度サポートモードと高頻度サポートモードとでは、電動役物開放カウンタＣ４を用いた電動役物開放抽選における電役開放状態当選となる確率は同一となっているが、高頻度サポートモードでは低頻度サポートモードよりも、電役開放状態当選となった際に電動役物９１が開放状態となる回数が多く設定されており、さらに１回の開放時間が長く設定されている。この場合、高頻度サポートモードにおいて電役開放状態当選となり電動役物９１の開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間が短く設定されている。
【０１７５】
上記のように高頻度サポートモードでは、低頻度サポートモードよりも右作動口８５への入賞が発生する確率が高くなる。換言すれば、低頻度サポートモードでは、右作動口８５よりも下作動口８４への入賞が発生する確率が高くなるが、高頻度サポートモードでは、下作動口８４よりも右作動口８５への入賞が発生する確率が高くなる。そして、右作動口８５への入賞が発生した場合には、所定個数の遊技球の払出が実行されるため、高頻度サポートモードでは、遊技者は持ち球をあまり減らさないようにしながら遊技を行うことができる。
【０１７６】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。さらには、回数、開放時間及び当選確率のうち、いずれか１条件又は任意の組み合わせの条件を相違させることで、高頻度サポートモードと低頻度サポートモードとの設定を行う構成としてもよい。
【０１７７】
大当たり種別カウンタＣ２は定期的に更新され、遊技球が、下作動口８４又は右作動口８５に入賞したタイミングでＲＡＭ６０４の保留球格納エリア６０４ｂに格納される。大当たり種別カウンタＣ２に対する遊技結果の振分先は、ＲＯＭ６０３における振分情報群記憶手段としての振分テーブル記憶エリア６０３ｂに振分テーブル（振分情報群）として記憶されている。そして、かかる振分先として、１５Ｒ通常大当たり結果（明示低確率対応特別遊技結果）と、１５Ｒ確変大当たり結果（明示高確率対応特別遊技結果）とが設定されている。
【０１７８】
１５Ｒ通常大当たり結果は、開閉実行モード（高頻度入賞モード対応）終了後に、当否抽選モードが低確率モードとなるとともに、サポートモードが移行後において遊技回数が終了基準回数（具体的には、１００回）となるまで高頻度サポートモードとなる大当たり結果である。なお、終了基準回数が経過した後に、低頻度サポートモードに移行する。これに対して、１５Ｒ確変大当たり結果は、開閉実行モード（高頻度入賞モード）終了後に、当否抽選モードが高確率モードとなるとともに、サポートモードが高頻度サポートモードとなる大当たり結果である。当該高頻度サポートモードは、当否抽選における抽選結果が大当たり状態当選となり、それによる開閉実行モードに移行するまで継続する。
【０１７９】
リーチ乱数カウンタＣ３は、例えば０〜２３８の範囲内で順に１ずつ加算され、最大値（つまり２３８）に達した後０に戻る構成となっている。リーチ乱数カウンタＣ３は定期的に更新され、遊技球が下作動口８４又は右作動口８５に入賞したタイミングでＲＡＭ６０４の保留球格納エリア６０４ｂに格納される。そして、ＲＯＭ６０３のリーチ用テーブル記憶エリアに記憶されたリーチ用テーブルに基づいてリーチを発生させるか否かを決定することとしている。
【０１８０】
但し、開閉実行モードに移行する遊技回においては、ＭＰＵ６０２では、リーチ乱数カウンタＣ３の値に関係なくリーチ発生の決定を行う。なお、リーチ表示の発生に対応したリーチ乱数カウンタＣ３の数は、各遊技状態において同一となっているが、遊技状態に応じて各々個別に設定されるものであってもよい。例えば、サポートモードが高頻度サポートモードである場合の方が、低頻度サポートモードよりも、リーチ表示の発生に対応したリーチ乱数カウンタＣ３の数が多く設定された構成としてもよい。
【０１８１】
ここで、リーチ表示（リーチ状態）とは、図柄（絵柄）の変動表示（又は可変表示）を行うことが可能な図柄表示装置９６（表示画面９６ａ）を備え、遊技結果が開閉実行モード対応の遊技結果となった遊技回では変動表示後の停止表示結果が特別表示結果となり得る遊技機において、図柄表示装置９６における図柄（絵柄）の変動表示（又は可変表示）が開始されてから停止表示結果が導出表示される前段階で、前記特別表示結果となり易い変動表示状態であると遊技者に思わせるための表示状態をいう。
【０１８２】
換言すれば、図柄表示装置９６の表示画面９６ａに表示される複数の図柄列のうち一部の図柄列について図柄を停止表示させることで、開閉実行モードの発生に対応した図柄の組み合わせが成立する可能性があるリーチ図柄の組み合わせを表示し、その状態で残りの図柄列において図柄の変動表示を行う表示状態のことである。
【０１８３】
より具体的には、図柄の変動表示を終了させる前段階として、図柄表示装置９６の表示画面９６ａ内の予め設定された有効ライン上に、開閉実行モードの発生に対応した図柄の組み合わせが成立する可能性のあるリーチ図柄の組み合わせを停止表示させることによりリーチラインを形成させ、当該リーチラインが形成されている状況下において最終停止図柄列により図柄の変動表示を行うことである。
【０１８４】
表示画面９６ａにおける表示内容について更に詳しく説明すると、最初に上図柄列において図柄の変動表示が終了され、さらに下図柄列において図柄の変動表示が終了された状態において、いずれかの有効ラインに当たり図柄の組み合わせを構成する数字が付された主図柄が停止表示されることでリーチラインが形成され、当該リーチラインが形成されている状況化において中図柄列にて図柄の変動表示が行われることでリーチ表示となる。そして、大当たり発生時には、リーチラインを形成している主図柄とともに当たり図柄の組み合わせを構成する数字が付された主図柄がリーチライン上に停止表示されるようにして中図柄列における図柄の変動表示が終了される。
【０１８５】
また、リーチ表示には、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面９６ａの略全体において所定のキャラクタなどを動画として表示することによりリーチ演出を行うものが含まれる。また、リーチ表示が行われている場合又はリーチ表示の前に所定のキャラクタといった所定画像を用いた予告表示を行うか否かの決定を、リーチ乱数カウンタＣ３やその他のカウンタを用いて行うようにしてもよい。
【０１８６】
変動種別カウンタＣＳは、例えば０〜１９８の範囲内で順に１ずつ加算され、最大値（つまり１９８）に達した後０に戻る構成となっている。変動種別カウンタＣＳは、主表示ユニット８７（主表示部）の上作動口用表示部及び下作動口用表示部における変動表示時間と、図柄表示装置９６における図柄の変動表示時間とをＭＰＵ６０２において決定する上で用いられる。変動種別カウンタＣＳは、後述する通常処理が１回実行される毎に１回更新され、当該通常処理内の残余時間内でも繰り返し更新される。そして、上作動口用表示部及び下作動口用表示部における変動表示の開始時及び図柄表示装置９６による図柄の変動開始時における変動パターン決定に際して変動種別カウンタＣＳのバッファ値が取得される。
【０１８７】
電動役物開放カウンタＣ４は、例えば、０〜２５０の範囲内で順に１ずつ加算され、最大値（つまり２５０）に達した後０に戻る構成となっている。電動役物開放カウンタＣ４は定期的に更新され、スルーゲート８６に遊技球が入賞したタイミングでＲＡＭ６０４の電役保留エリア６０４ｃに格納される。そして、所定のタイミングにおいて、その格納された電動役物開放カウンタＣ４の値によって右作動口８５の電動役物９１を開放状態に制御するか否かの抽選が行われる。例えば、Ｃ４＝０〜１９０であれば、電動役物９１を開放状態に制御し、Ｃ４＝１９１〜２５０であれば、電動役物９１を開放状態に制御しない。
【０１８８】
既に説明したように、ＭＰＵ６０２では、少なくとも変動種別カウンタＣＳのバッファ値を用いて、上作動口用表示部及び下作動口用表示部における変動表示時間が決定されるが、その決定に際してはＲＯＭ６０３の変動表示時間テーブル記憶エリア６０３ｃが用いられる。また、ＭＰＵ６０２では、実行エリアＡＥに格納されている大当たり乱数カウンタＣ１の値及び大当たり種別カウンタＣ２の値を用いて、上作動口用表示部及び下作動口用表示部における停止結果が決定されるが、その決定に際してはＲＯＭ６０３の停止結果テーブル記憶エリア４２４が用いられる。
【０１８９】
（主制御装置１６２にて実行される各種処理について）
次に、主制御装置１６２内のＭＰＵ６０２にて各遊技回での遊技を進行させる上で実行されるタイマ割込み処理及び通常処理を説明する。なお、ＭＰＵ６０２では、上記タイマ割込み処理及び通常処理の他に、電源投入に伴い起動されるメイン処理やＮＭＩ端子（ノンマスカブル端子）への停電信号の入力により起動されるＮＭＩ割込み処理が実行されるが、これらの処理については説明を省略する。
【０１９０】
（タイマ割込み処理）
タイマ割込み処理は、主制御装置１６２のＭＰＵ６０２により定期的に（例えば２ｍｓｅｃ周期で）起動される。タイマ割込み処理においては先ず、各種スイッチや上記各種検知センサ９５ａ〜９５ｅ等の読み込み処理を実行する。すなわち、主制御装置１６２に接続されている各種スイッチや各種検知センサ９５ａ〜９５ｅ等の状態を読み込むとともに、当該スイッチの状態を判定して検出情報（例えば入賞検知情報）を保存する。
【０１９１】
その後、乱数初期値カウンタＣＩＮＩの更新を実行する。具体的には、乱数初期値カウンタＣＩＮＩを１インクリメントするとともに、そのカウンタ値が最大値に達した際０にクリアする。そして、乱数初期値カウンタＣＩＮＩの更新値を、ＲＡＭ６０４の該当するバッファ領域に格納する。
【０１９２】
続いて、大当たり乱数カウンタＣ１、大当たり種別カウンタＣ２、リーチ乱数カウンタＣ３及び電動役物開放カウンタＣ４の更新処理を実行する。具体的には、大当たり乱数カウンタＣ１、大当たり種別カウンタＣ２、リーチ乱数カウンタＣ３及び電動役物開放カウンタＣ４をそれぞれ１インクリメントするとともに、それらのカウンタ値が最大値に達した際それぞれ０にクリアする。そして、各カウンタＣ１〜Ｃ４の更新値を、ＲＡＭ６０４の該当するバッファ領域に格納する。その後、作動口８４，８５への入賞に伴う作動口用の入賞処理を実行し、さらにステップＳ１０５にて、スルーゲート８６への入賞に伴うスルー用の入賞処理を実行した後に、本タイマ割込み処理を終了する。
【０１９３】
（通常処理）
通常処理は電源投入に伴い起動されるメイン処理が実行された後に開始される処理であり、同通常処理では遊技の主要な処理が実行される。その概要として、遊技進行に係る主要な処理が４ｍｓｅｃ周期の定期処理として実行され、その残余時間でカウンタ更新処理が実行される構成となっている。
【０１９４】
通常処理において先ず、タイマ割込み処理又は前回の通常処理で設定したコマンド等の出力データをサブ側の各制御装置に送信する。具体的には、賞球コマンドの有無を判定し、賞球コマンドが設定されていればそれを払出制御装置２４２に送信する。また、変動用コマンド、種別コマンド、変動終了コマンド、保留コマンド、後述するシフト時コマンド等の各種コマンドが設定されている場合にはそれを報知・演出制御装置１４３に対して送信する。また、ＲＡＭ６０４の外部出力バッファに設定されている情報に応じて、外部端子板２１３に対する出力設定を行う。
【０１９５】
続いて、変動種別カウンタＣＳの更新を実行する。具体的には、変動種別カウンタＣＳを１加算するとともに、カウンタ値が最大値に達した際にはカウンタ値を０にクリアする。そして、変動種別カウンタＣＳの更新値を、ＲＡＭ６０４の該当するバッファ領域に格納する。
【０１９６】
その後は、各遊技回の遊技を進行させるための遊技回制御処理及び遊技状態を移行させるための遊技状態移行処理を実行する。遊技回制御処理においては、大当たり等の当否判定及び振分判定を行うとともに、図柄表示装置９６による図柄の変動表示の設定、主表示ユニット８７における作動口用表示部などの表示制御などを行う。遊技状態移行処理においては、遊技状態を開閉実行モード、高確率モード／低確率モード、高頻度サポートモード／低頻度サポートモードなどに移行させる処理を行う。
【０１９７】
遊技回制御処理及び遊技状態移行処理を実行した後は、右作動口８５に設けられた電動役物９１を駆動制御するための電役サポート用処理を実行する。この電役サポート用処理では、ＲＡＭ６０４の電役保留エリア６０４ｃに格納されている電動役物開放カウンタＣ４から取得した数値情報を用いて電動役物９１を開放状態とするか否かの電役開放抽選を行うとともに、電役開放状態当選となった場合には電動役物９１の開閉処理を実行する。また、電役開放抽選の抽選結果を教示するように、主表示ユニット８７におけるスルーゲート用表示部の表示制御を行う。
【０１９８】
ここで、既に説明したとおり、電動役物９１によるサポートの態様として、低頻度サポートモードと高頻度サポートモードとが設定されており、遊技状態移行処理にていずれかのサポートモードへの移行が行われる。この場合、ＲＡＭ６０４に高頻度サポートフラグがセットされている場合は高頻度サポートモードとなり、当該フラグがセットされていない場合には低頻度サポートモードとなる。
【０１９９】
電役サポート用処理では、ＲＡＭ６０４に高頻度サポートフラグがセットされているか否かを判定することで、高頻度サポートモードであるか否かを判定する。そして、高頻度サポートモードである場合には低頻度サポートモードの場合よりも、電役開放状態当選となった際に、電動役物９１が開放状態となる回数を多く設定するとともに、１回の開放時間を長く設定する。また、高頻度サポートモードである場合は、電役開放状態当選となり電動役物９１の開放状態が複数回発生する場合において、１回の開放状態が終了してから次の開放状態が開始されるまでの閉鎖時間が、１回の開放時間よりも短くなるように設定する。
【０２００】
ちなみに、開閉実行モードに移行した場合には、ＲＡＭ６０４に高頻度サポートフラグがセットされていたとしても、サポートモードは強制的に低頻度サポートモードに設定される。
【０２０１】
電役サポート用処理を実行した後は、遊技球発射制御処理を実行する。本実施の形態においては、遊技球発射ハンドル４１に対して発射操作が行われていることに基づき電源・発射制御装置２４３から出力される発射許可信号を入力していることを条件として、所定の発射期間（例えば、０．６ｓｅｃ）に１回、遊技球発射機構１１０のソレノイド１１１が励磁される。これにより、遊技球が遊技領域ＰＥに向けて打ち出される。
【０２０２】
遊技球発射制御処理を実行した後は、ＲＡＭ６０４に停電フラグがセットされているか否かを判定する。停電フラグは、停電監視基板６０５において停電の発生が確認され当該停電監視基板６０５からＭＰＵ６０２のＮＭＩ端子に停電信号が入力されることによりセットされ、次回のメイン処理にて消去されるフラグである。
【０２０３】
停電フラグがセットされていない場合は、繰り返し実行される複数の処理の最後の処理が終了したこととなる。そこで、次の通常処理の実行タイミングに至ったか否か、すなわち前回の通常処理の開始から所定時間（本実施形態では４ｍｓｅｃ）が経過したか否かを判定する。そして、次の通常処理の実行タイミングに至るまでの残余時間内において、乱数初期値カウンタＣＩＮＩ及び変動種別カウンタＣＳの更新を繰り返し実行する。
【０２０４】
ここで、遊技進行に係る遊技回制御処理等の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができ、同様に変動種別カウンタＣＳについてもランダムに更新することができる。
【０２０５】
一方、停電フラグがセットされていると判定した場合は、電源遮断が発生したことになるので、以降の電断時処理を実行する。具体的には、タイマ割込み処理の発生を禁止し、その後、ＲＡＭ判定値を算出、保存し、ＲＡＭ６０４のアクセスを禁止した後に、電源が完全に遮断して処理が実行できなくなるまで無限ループを継続する。
【０２０６】
遊技盤ユニット８０に配設された主制御装置１６２や図柄表示装置９６等の電気機器については、裏パックユニット１５に設けられた電源・発射制御装置２４３から供給される電力によって駆動する。遊技盤ユニット８０をその支持対象である樹脂ベース７０に着脱可能とする上では、上述した接続機構によって電気的な接続／解除をサポートすることにより着脱作業を簡略化できる。これは、作業負荷の軽減や作業効率の向上を実現する上で好ましい構成である。
【０２０７】
但し、上述した接続機構を利用して作業ばらつきの影響を抑える構成とした場合であっても、遊技盤の着脱に係る構成の製造誤差、経時劣化等の影響に鑑みれば、電気的接続を担保する上で信頼性や安定性に係る不安を完全に払拭することは困難である。特に、本実施の形態に示す接続機構については遊技盤ユニット８０の背面側に存在しているため、当該遊技盤ユニット８０が妨げとなって接続状況やコネクタ等の状態・位置関係等を目視にて確認することが困難になる。このように目視での確認が妨げられることで、信頼性の更なる向上を目指す上で作業者に頼ることが難しくなっている。
【０２０８】
本実施の形態においては、このような事情に鑑みて、自動接続による作業性の向上等の恩恵を享受しつつ、作業者に依存することなく上記信頼性の更なる向上を実現する工夫がなされていることを特徴の１つとしている。そこで以下、図２２及び図２３を参照して当該工夫に係る構成について説明する。図２２は遊技盤ユニット８０側に属する電気機器としての主制御装置１６２と、その支持対象たる樹脂ベース７０側に属する電気機器としての電源・発射制御装置２４３等との電気的接続に係る構成を簡略化して示すブロック図、図２３は第２内枠側コネクタ４０２と第２遊技盤側コネクタ４５２とを分離させた状態で示す概略図である。なお、図２３においては、コネクタ４０２，４５２に付随する配線等の各種構成の表示を省略している。
【０２０９】
（電気的接続に係る構成）
上述したように遊技盤ユニット８０と内枠１３との間に形成される電気経路は、主制御装置１６２及び電源・発射制御装置２４３を繋ぐものと、主制御装置１６２及び払出制御装置２４２を繋ぐものとに大別される。これら２つの電気経路については伝達される信号等に違いはあるものの主たる構成については共通となっている。そこで、以下の説明においては、上記２つの電気経路のうち前者について説明し、後者については説明を援用する。
【０２１０】
電源・発射制御装置２４３は樹脂ベース７０に取り付けられた裏パックユニット１５に搭載されている。電源・発射制御装置２４３に設けられたコネクタＣＮ１１にはハーネスＨ１の一端に設けられたコネクタＣＮ１２が取り付けられ、ハーネスＨ１の他端に設けられたコネクタＣＮ１３については上記中継コネクタ４０４に取り付けられている。
【０２１１】
中継コネクタ４０４はコネクタ用基板４１２に形成された配線を介して当該第２内枠側コネクタ４０２と繋がっている。第２内枠側コネクタ４０２には、第２遊技盤側コネクタ４５２が取り付けられている。第２遊技盤側コネクタ４５２と主制御装置１６２とはハーネスＨ２を介して接続されている。これら各種ハーネス及びコネクタを介して主制御装置１６２と電源・発射制御装置２４３とが電気的に接続され、主制御装置１６２と電源・発射制御装置２４３とを繋ぐ電気経路が形成されている。
【０２１２】
ここで、ハーネスＨ１、Ｈ２を構成する複数の配線には、主制御装置１６２が正常に動作するのに要する動作電力を伝送する電源線と、主制御装置１６２を接地させる（基準電位を設定する）のに用いるグランド線が含まれている。電源線及びそれに付随する接続端子等によって主制御装置１６２と電源・発射制御装置２４３とを繋ぐ電源ラインＥＮＬ１が形成され、グランド線及びそれに付随する接続端子等によって主制御装置１６２と電源・発射制御装置２４３とを繋ぐグランドラインＧＮＬ１，ＧＮＬ２が形成されている。
【０２１３】
電源ラインＥＮＬ１は電源・発射制御装置２４３の電源部に接続されており、電源部は電源ラインＥＮＬ１を介して所定の駆動電圧（例えば直流＋２４Ｖ）を出力する。これにより、主制御装置１６２には電源ラインＥＮＬ１を介して＋２４Ｖが入力される。グランドラインＧＮＬ１，ＧＮＬ２は電源・発射制御装置２４３にて接地されている。これにより、主制御装置１６２にはグランドラインＧＮＬ１，ＧＮＬ２を介して接地に対応した電圧、すなわち０Ｖが入力される。
【０２１４】
なお、例えば主制御装置１６２の所定の抵抗を介して電源ラインＥＮＬ１とグランドラインＧＮＬ１，ＧＮＬ２とを接続することにより、当該所定の抵抗に対して＋２４Ｖの電圧を印加するとともに当該所定の抵抗に対して所定の電流を流すことが可能となる。この場合、電源ラインＥＮＬ１及びグランドラインＧＮＬ１，ＧＮＬ２によって主制御装置１６２に動作電力が供給されるとも言える。
【０２１５】
因みに、電源ラインＥＮＬ１が常時＋２４Ｖの電圧を伝送していることに鑑みれば、電源ラインＥＮＬ１は常時ＨＩ信号を伝送しているものとも言え、グランドラインＧＮＬ１，ＧＮＬ２が常時基準電位（０Ｖ）を伝送していることに鑑みれば、グランドラインＧＮＬ１，ＧＮＬ２は常時ＬＯＷ信号を伝送しているものとも言える。
【０２１６】
このような事情から、仮にグランドラインが形成されていない状況下にて電源ラインが形成されてしまうと動作電力の供給が不安定になる。例えば、主制御装置１６２においては定期処理として通常処理やタイマ割り込み処理が実行されているが、供給される電源が不安定となることにより、上記処理が上手く実行されなくなる可能性がある。また、主制御装置１６２においては、電源供給が開始された際に起動されるメイン処理や、電源供給が停止した場合に実行される電断時用処理が設定されているも。メイン処理が実行されている最中に電源が供給されなくなることで当該メイン処理が上手く実行されなくなったり、電断時用処理が実行されている最中に電源供給が再開されることで当該電断時用処理が上手く実行されなくなったりする可能性がある。そして、動作中の各種素子への電源供給が突如として開始／停止することにより、単に制御が上手く実行されなくなるだけでなく、それら素子に加わる負荷が過剰になることも懸念される。このように、グランドラインが形成されていない状況下にて電源ラインが形成されることは、主制御装置１６２にて誤動作や故障等の動作不良が生じる要因になり得るため好ましくない。
【０２１７】
なお、報知・演出制御装置１４３や図柄表示装置９６等の各種電気機器についても、主制御装置１６２（停電監視基板６０５）を介して電源が供給される構成となっている（図２０参照）。故に、動作不良等の不都合は主制御装置１６２のみならずそれに付随する電気機器においても発生し得る。
【０２１８】
本実施の形態においては第２内枠側コネクタ４０２に形成された接続端子４０９と第２遊技盤側コネクタ４５２に形成された接続端子４５９とを工夫することにより、上記不都合の発生を抑制している。ここで、図２３を参照して、第２内枠側コネクタ４０２における接続端子４０９の配列及び第２遊技盤側コネクタ４５２における接続端子４５９の配列について補足説明する。
【０２１９】
上述したように、第２内枠側コネクタ４０２及び第２遊技盤側コネクタ４５２は共に遊技盤ユニット８０の回動基端側から回動先端側に延びる横長状をなしており、その長手方向（横方向）に８個×短手方向（縦方向）に２段の計１６個の接続端子が並べて配置されている。図２３においては説明の便宜上、各接続端子を区別すべく「ａ」〜「ｐ」のインデックスを付与している。第２内枠側コネクタ４０２及び第２遊技盤側コネクタ４５２を結合（係合）する場合には、同じインデックスが付与された接続端子同士が接触することとなる。
【０２２０】
第２遊技盤側コネクタ４５２に設けられた１６個の接続端子４５９ａ〜４５９ｐのうち、下段且つ上記長手方向における両端に位置する２つの接続端子４５９ａ，４５９ｈが上記グランドラインＧＮＬ１，ＧＮＬ２を構成するグランド用接続端子４５９ａ，４５９ｈとなっている。そして、下段且つ上記長手方向にて両グランド用接続端子４５９ａ，４５９ｈの間（中間）に位置する接続端子４５９ｄが上記電源ラインＥＮＬ１を構成する電源用接続端子４５９ｄとなっている。つまり、電源用接続端子４５９ｄを挟んだ両側にグランド用接続端子４５９ａ，４５９ｈが配置されている。
【０２２１】
これに対応させて、第２内枠側コネクタ４０２に設けられた１６個の接続端子４０９ａ〜４０９ｐのうち、下段且つ上記長手方向における端に位置する接続端子４０９ａ，４０９ｈが上記グランドラインＧＮＬ１，ＧＮＬ２を構成するグランド用接続端子４０９ａ，４０９ｈとなっている。そして、下段且つ上記長手方向にて両グランド用接続端子４０９ａ，４０９ｈの間（中間）に位置する接続端子４０９ｄが上記電源ラインＥＮＬ１を構成する電源用接続端子４０９ｄとなっている。つまり、電源用接続端子４０９ｄを挟んだ両側にグランド用接続端子４０９ａ，４０９ｈが配置されている。
【０２２２】
第２内枠側コネクタ４０２と第２遊技盤側コネクタ４５２とが結合（係合）された場合には、第２内枠側コネクタ４０２の電源用接続端子４０９ｄと第２遊技盤側コネクタ４５２の電源用接続端子４５９ｄとが接触して電源ラインＥＮＬ１が形成され、第２内枠側コネクタ４０２のグランド用接続端子４０９ａと第２遊技盤側コネクタ４５２のグランド用接続端子４５９ａとが接触してグランドラインＧＮＬ１が形成され、第２内枠側コネクタ４０２のグランド用接続端子４０９ｈと第２遊技盤側コネクタ４５２のグランド用接続端子４５９ｈとが接触してグランドラインＧＮＬ２が形成される。すなわち、電源ラインＥＮＬ１を左右両側から挟む位置にグランドラインＧＮＬ１，ＧＮＬ２が形成されることとなる。
【０２２３】
なお、グランドラインＧＮＬ１（接続端子４０９ａ，４５９ａ）とグランドラインＧＮＬ２（接続端子４０９ｈ，４５９ｈ）との間には、例えば報知・演出制御装置１４３等の電気機器への電源ラインを構成する接続端子やコマンド等の信号の送信又は受信を行うための信号ラインを構成する接続端子が配設されている。
【０２２４】
ここで、図２４の概略図を参照して、第２内枠側コネクタ４０２及び第２遊技盤側コネクタ４５２の結合（係合）に基づいて上記電源ラインＥＮＬ１及びグランドラインＧＮＬ１，ＧＮＬ２が形成される際の流れについて説明する。なお、図２４においては、上記電源ラインＥＮＬ１及びグランドラインＧＮＬ１，ＧＮＬ２を形成している接続端子以外の接続端子については図示を省略している。
【０２２５】
図２４（ａ）に示すように、第２内枠側コネクタ４０２に配設されたオス型の接続端子４０９はコネクタ本体４０７の奥壁からの突出量が全て同一となっており、その先端部の位置がコネクタの結合方向にて揃えられている。第２遊技盤側コネクタ４５２に配設されたメス型の接続端子４５９についてもその深さが全て同一となっている。このため、予め設定された結合方向にて第２内枠側コネクタ４０２及び第２遊技盤側コネクタ４５２を結合させた場合には、グランドラインＧＮＬの形成に先んじて電源ラインＥＮＬが形成されることが回避される。
【０２２６】
厳密には、最も遊技盤ユニット８０の回動基端寄りとなるグランド用接続端子４０９ｈ，４５９ｈによって１つ目のグランドラインＧＮＬ２が形成された直後に、電源用接続端子４０９ｄ，４５９ｄによって電源ラインＥＮＬ１が形成され、その直後に最も遊技盤ユニット８０の回動先端寄りとなるグランド用接続端子４０９ａ，４５９ａによって２つ目のグランドラインＧＮＬ１が形成されることとなる。
【０２２７】
上述したように本実施の形態に示す遊技盤ユニット８０については、その装着軌道のばらつきを抑えるべく様々な工夫が施されている。但し、製造／組立てばらつきや作業ばらつき等を完全に払拭することは困難であり、それらのばらつきが生じる可能性を完全に否定できるものではない。仮にグランドラインＧＮＬの形成に先んじて電源ラインＥＮＬが形成された場合には、電力が供給された主制御装置１６２の動作が不安定になり得る。この点、本実施の形態においては、接続端子の配列を上述の如く工夫することにより、そのような不都合の発生を抑えることが可能となっている。
【０２２８】
例えば、図２４（ｂ）に示すように、第２遊技盤側コネクタ４５２が回動基端側の端部（左端部）が先行するようにして傾いた状態で第２内枠側コネクタ４０２に向けて変位する場合には、先ず左側のグランド用接続端子４０９ｈ，４５９ｈが接触することにより、１つ目のグランドラインＧＮＬ２が形成されることとなる。この状態では、電源ラインＥＮＬ１を構成する電源用接続端子４０９ｄ，４５９ｄは非接触となっており、２つ目のグランドラインＧＮＬ１を構成するグランド用接続端子４０９ａ，４５９ａについても非接触となっている。
【０２２９】
図２４（ｂ）→図２４（ａ）に示すように、上述した傾きが維持されたまま又は当該傾を減じながら第２遊技盤側コネクタ４５２が第２内枠側コネクタ４０２との結合位置へ向けて変位し続けた場合には、グランドラインＧＮＬ２が形成されている状況下にて他のグランドラインＧＮＬ１及び電源ラインＥＮＬ１が形成されることとなる。
【０２３０】
これに対して、図２４（ｃ）に示すように、第２遊技盤側コネクタ４５２が回動先端側の端部（右端部）が先行するようにして傾いた状態で第２内枠側コネクタ４０２に向けて変位する場合には、先ず右側のグランド用接続端子４０９ａ，４５９ａが接触することにより、１つ目のグランドラインＧＮＬ１が形成されることとなる。この状態では、電源ラインＥＮＬ１を構成する電源用接続端子４０９ｄ，４５９ｄは非接触となっており、２つ目のグランドラインＧＮＬ１を構成するグランド用接続端子４０９ｈ，４５９ｈについても非接触となっている。
【０２３１】
図２４（ｃ）→図２４（ａ）に示すように、上述した傾きが維持されたまま又は当該傾を減じながら第２遊技盤側コネクタ４５２が第２内枠側コネクタ４０２との結合位置へ向けて変位し続けた場合には、グランドラインＧＮＬ１が形成されている状況下にて他のグランドラインＧＮＬ２及び電源ラインＥＮＬ１が形成されることとなる。
【０２３２】
一方、遊技盤ユニット８０を樹脂ベース７０から取り外す場合に第２遊技盤側コネクタ４５２に遊技盤ユニット８０の回動基端側又は回動先端側への傾きが生じた場合であっても、グランドラインＧＮＬが形成されている状況下にて電源供給が停止される。
【０２３３】
例えば、図２４（ａ）→図２４（ｂ）に示すように、第２遊技盤側コネクタ４５２が回動基端側の端部（左端部）が遅れるようにして傾いた状態で第２内枠側コネクタ４０２から離れる方向へ変位する場合には、先ず右側のグランド用接続端子４０９ａ，４５９ａの接触及び電源用接続端子４０９ｄ，４５９ｄの接触が解除される。この際、左側のグランド用接続端子４０９ｈ，４５９ｈについては接触状態に維持されており、グランドラインＧＮＬ２が形成されたままとなっている。つまり、電源供給が停止されるまでグランドラインＧＮＬ２が維持される。
【０２３４】
図２４（ａ）→図２４（ｃ）に示すように、第２遊技盤側コネクタ４５２が回動先端側の端部（右端部）が遅れるようにして傾いた状態で第２内枠側コネクタ４０２から離れる方向へ変位する場合には、先ず左側のグランド用接続端子４０９ｈ，４５９ｈの接触及び電源用接続端子４０９ｄ，４５９ｄの接触が解除される。この際、右側のグランド用接続端子４０９ａ，４５９ａについては接触状態に維持されており、グランドラインＧＮＬ１が形成されたままとなっている。つまり、電源供給が停止されるまでグランドラインＧＮＬ１が維持される。
【０２３５】
このように、第２コネクタブロックによって電源ラインの形成／解除の切り替えが行われる場合、当該切替はグランドラインが形成されている状況下にて完遂することとなり、切替時には電源ラインよりもグランドラインの維持が優先される。
【０２３６】
以上詳述した第１の実施の形態によれば、以下の優れた効果が期待できる。
【０２３７】
「支持対象」としての樹脂ベース７０に「遊技ユニット」としての遊技盤ユニット８０を着脱する際には、遊技盤ユニット８０の変位に基づいて「ユニット側コネクタ」としての遊技盤側コネクタ４５１，４５２と「支持対象側コネクタ」としての内枠側コネクタ４０１，４０２とが接続／分離されることとなる。これにより、遊技盤ユニット８０の着脱に際して、電気的な接続／解除作業を別途行う必要がなっている。故に、作業者の作業負担の軽減を実現したり、接続／解除時の作業用スペースの確保が不要となったりする等の優れた効果が期待できる。
【０２３８】
但し、このようにして利便性等の向上を追求したことにより、以下の不都合が生じやすくなる。すなわち、パチンコ機１０の電源がＯＮとなっている状態（遊技盤ユニット８０に電源が供給され得る状態）にて遊技盤ユニット８０の着脱が行われる可能性は高くなる。このような事象は、主制御装置１６２等の電気機器（「電気部品」に相当）に誤作動や故障等の動作不良が発生する要因となり得るため好ましくない。
【０２３９】
本実施の形態においては、第２内枠側コネクタ４０２及び第２遊技盤側コネクタ４５２からなる第２コネクタブロックによって主制御装置１６２への電源ラインＥＮＬ及びグランドラインＧＮＬが形成される。ここで、２つのグランド用の接続箇所の間に電源用の接続箇所が設けられている。係る構成によれば、遊技盤ユニット８０を着脱する場合に、グランド用の接続箇所を接続状態に維持したままで電源用の接続箇所の接続／非接続の切り替えを行うことができる。このようにして、グランド用の接続箇所の接続状態の維持を優先することにより、グランドラインＧＮＬが形成されていない状況下にて電源ラインＥＮＬが形成されることを簡易な構成によって実現することができる。これにより、例えばパチンコ機１０の電源がＯＮとなっている状況下（主制御装置１６２に電力が供給され得る状況下）にて遊技盤ユニット８０の着脱が行われた場合であってもグランドラインＧＮＬが担保されるため、主制御装置１６２やそれに付随する報知・演出制御装置１４３等の電気部品に誤作動や故障等の動作不良が発生することを抑制することができる。故に、電気機器の動作安定化や保護に好適に貢献できる。
【０２４０】
なお、電源用の接続箇所の両側にグランド用の接続箇所が存在しているため、遊技盤ユニット８０の着脱時に２つのグランド用の接続箇所の一方に偏るような遊技盤ユニット８０の位置ばらつきが生じる場合であっても、このような位置ばらつきを許容しやすくなっている。
【０２４１】
遊技盤ユニット８０が樹脂ベース７０によって回動可能に支持されている場合には、回動基端部（回動中心部）からの距離に応じて通過する軌道が異なる。このような事情から、回動基端部に近い接続端子の方が遠い接続端子よりも僅かながら早く接続されることとなる。以上の特性に鑑みれば、グランド用接続端子を電源用接続端子よりも回動基端寄りとなるようにして配置することにより、グランド用接続端子が接続されている状況下に電源用接続端子の接触／非接触の切り替えが行われるように促すことができる。但し、電源用接続端子とグランド用接続端子との距離が小さくなればなるほど、上述した機能が製造ばらつきや作業のばらつきの影響を受けやすくなることを否定できない。一方、電源用接続端子とグランド用接続端子との離間距離を大きく設定することが必須となれば、接続端子の配置自由度が低下してしまう。これは、配線の取り回しの簡素化等の妨げになるため好ましくない。この点、上述したように電源用接続端子よりも回動先端寄りとなる位置及び回動基端寄りとなる位置の両方にグランド用接続端子を配設すれば、上述したばらつき等の影響を抑え、接続端子の配置自由度の向上に貢献することが可能となる。
【０２４２】
内枠側コネクタ４０１，４０２を可動式（可動コネクタ）とすることにより、遊技盤ユニット８０の装着に伴って遊技盤側コネクタ４５１，４５２と内枠側コネクタ４０１，４０２とが接続される際のそれらコネクタの位置関係のずれを好適に許容することができる。これは、作業の容易化を実現する上では好ましい構成である。
【０２４３】
しかしながら、このような構成においては、敢えて上述したような変位を許容してコネクタ結合時の相対位置のばらつきの許容範囲を拡げることが、接続箇所毎での接続タイミングのばらつきを大きくする要因となり得る。このような構成に対して、上述したグランドラインの確保を優先させる構成を組み合わせることにより、上記接続タイミングのばらつきの影響を払拭することができる。これにより、作業性の向上を図りつつそれに起因した不都合の発生を抑制し、実用上好ましい構成を実現できる。
【０２４４】
内枠側コネクタ４０２及び遊技盤側コネクタ４５２においては、複数の接続端子４０９，４５９が並べて配されており、それら複数の接続端子４０９，４５９のうち同接続端子４０９，４５９の配列方向における両端の接続端子４０９ａ，４０９ｈ，４５９ａ，４５９ｈがグランド用の接続端子となっている。配列方向における両端に位置している接続端子をグランド用接続端子とすることにより、コネクタの大型化を抑えつつグランド用接続端子同士の距離を稼ぐことができる。これにより、電源用接続端子を挟むようにしてグランド用接続端子を配置することによる上記各種効果を好適に享受できる。
【０２４５】
＜第２の実施の形態＞
上記第１の実施の形態では、離間して設けられた２つのグランド用接続端子の間に電源用接続端子を配設することにより、グランドラインが形成されている状況下にて電源ラインの形成／解除が行われる構成とした。本実施の形態における接続機構についてはその基本構成は第１の実施の形態に示した接続機構と共通となっているものの、グランドラインが形成されている状況下での電源ラインの形成／解除に係る構成が第１の実施の形態と相違している。以下、図２５の概略図を参照して、第１の実施の形態との相違点を中心に本実施の形態における接続機構（コネクタ）に係る構成について補足説明する。
【０２４６】
本実施の形態の接続機構を構成する第２内枠側コネクタ４０２Ｘについては、接続端子のうちグランド用接続端子４０９ａＸを除く他の接続端子４０９ｂ〜４０９ｐについては第１の実施の形態に示した第２内枠側コネクタ４０２の接続端子と同様に固定式となっている一方、グランド用接続端子４０９ａＸについては可変式となっている。
【０２４７】
具体的には、グランド用接続端子４０９ａＸは、導電性が付与された可動ピン４３５Ｘと、当該可動ピン４３５Ｘを第２コネクタブロックの結合／分離方向と同じ方向にスライド移動可能な状態で保持するホルダ４３６Ｘとを有し、ホルダ４３６Ｘがコネクタ本体４０７Ｘに固定されることで当該コネクタ本体４０７Ｘと一体化されている。
【０２４８】
可動ピン４３５Ｘは、その先端部がホルダ４３６Ｘから突出しており、スライド移動することによりその突出量が変化するように構成されている。可動ピン４３５Ｘは、付勢部材によって最大突出位置へ付勢されており、当該最大突出位置に配置されている状態では他の接続端子４０９ｂ〜４０９ｐよりも遊技盤ユニット８０側への突出量が大きくなっている。
【０２４９】
第２遊技盤側コネクタ４５２Ｘにてグランド用接続端子４０９ａＸに対応するグランド用接続端子４５９ａＸについては、可動ピン４３５Ｘの先端部分が挿入可能となるように形成されており、その深さが他の接続端子４５９ｂ〜４５９ｐよりも浅くなるように形成されている。
【０２５０】
遊技盤ユニット８０が樹脂ベース７０に搭載される際には、可動ピン４３５Ｘの先端部分がグランド用接続端子４５９ａＸの底部に当接し、遊技盤ユニット８０の装着完了位置への移動が継続されることで上記付勢部材の付勢力に抗して可動ピン４３５Ｘが後退する。これにより、第２内枠側コネクタ４０２Ｘのグランド用接続端子４０９ａＸ（可動ピン４３５Ｘ）と第２遊技盤側コネクタ４５２Ｘのグランド用接続端子４５９Ｘとの接触を維持したままの状態で、それら第２内枠側コネクタ４０２と第２遊技盤側コネクタ４５２との相対位置の変化を許容している。
【０２５１】
ここで、遊技盤ユニット８０が装着される場合の電気的接続の流れについて説明する。図２５（ａ）→図２５（ｂ）に示すように第２内枠側コネクタ４０２Ｘと第２遊技盤側コネクタ４５２Ｘとが接続される際には、第２内枠側コネクタ４０２Ｘのグランド用接続端子４０９ａＸと第２遊技盤側コネクタ４５２Ｘのグランド用接続端子４５９ａＸとが接触して、電源・発射制御装置２４３と主制御装置１６２とを繋ぐ上記グランドラインＧＮＬ１が形成される。その後は、グランドラインＧＮＬ１が維持されている状況下にて第２内枠側コネクタ４０２Ｘの電源用接続端子４０９ｄと第２遊技盤側コネクタ４５２Ｘの電源用接続端子４５９ｄとが接触し、電源・発射制御装置２４３と主制御装置１６２とを繋ぐ上記電源ラインＥＮＬ１が形成される。
【０２５２】
本実施の形態においては、グランド用接続端子４０９ａＸを可動式としている。このような構成については、接続安定性のみを比較した場合に固定式の接続端子に劣る可能性がある。そこで、もう一組のグランド用接続端子４０９ｈ，４５９ｈについては敢えて固定式のままとしている。これにより、第２内枠側コネクタ４０２と第２遊技盤側コネクタ４５２との接続が完了した状態では、グランド用接続端子４０９ｈ，４５９ｈによってグランドラインが好適に担保されることとなる。
【０２５３】
因みに、グランド用接続端子４０９ｈ，４５９ｈについては第２コネクタブロックの結合／分離方向での相対位置のばらつきを許容しやすく、グランド用接続端子４０９ａＸ，４５９ａＸについては結合／分離方向と交差する方向での相対位置のばらつきを許容しやすい構成であるため、前後、左右の何れの方向に相対位置がばらついたとしても、グランドラインが維持される。
【０２５４】
次に、遊技盤ユニット８０が樹脂ベース７０から取り外される場合の電気的接続の解除の流れについて説明する。図２５（ｂ）→図２５（ａ）に示すように第２内枠側コネクタ４０２Ｘと第２遊技盤側コネクタ４５２とが分離される際には、グランドラインＧＮＬ１が維持されている状況下にて第２内枠側コネクタ４０２Ｘの電源用接続端子４０９ｄと第２遊技盤側コネクタ４５２Ｘの電源用接続端子４５９ｄとが離間することにより、電源ラインＥＮＬ１が無効化となる（寸断される）。その後、第２内枠側コネクタ４０２Ｘのグランド用接続端子４０９ａＸと第２遊技盤側コネクタ４５２Ｘのグランド用接続端子４５９ａＸとが離間することにより、グランドラインＧＮＬ１が無効となる（寸断される）。
【０２５５】
このように、グランドラインＧＮＬ１が維持されている状況下にて、電源ラインＥＮＬ１が形成／寸断させる構成とすることにより、遊技盤ユニット８０に搭載された主制御装置１６２等の電気機器を保護し、誤作動や故障等の発生を抑制することができる。
【０２５６】
＜第３の実施の形態＞
上記第１の実施の形態においては、第２内枠側コネクタ４０２及び第２遊技盤側コネクタ４５２を介して電源・発射制御装置２４３から遊技盤ユニット８０に搭載された「電気機器」（例えば主制御装置１６２）に電力が供給される構成とした。つまり、第２内枠側コネクタ４０２及び第２遊技盤側コネクタ４５２によって「電気機器」用の電源ラインを形成する構成とした。電源ラインについては、長くなれば長くなる程、また介在する接続箇所が増えれば増える程、断線等の不都合が生じやすくなる。このような不都合が発生すると、電源ラインが寸断され遊技盤ユニット８０に搭載された電気機器の動作が妨げられることとなる。これは、遊技機の信頼性が低下する要因となるため好ましくない。本実施の形態においては、このような事情に配慮した工夫が施されることで、遊技機の動作に係る信頼性を高める工夫がなされていることを特徴の１つとしている。以下、図２６及び図２７（ａ）を参照して、上記工夫に係る構成について説明する。図２６は本実施の形態における電気的構成の一部を示すブロック図、図２７（ａ）は第１内枠側コネクタ４０１の接続端子４０８及び第２内枠側コネクタ４０２の接続端子４０９を示す概略図である。
【０２５７】
上記第１の実施の形態にて説明したように、第１内枠側コネクタ４０１及び第１遊技盤側コネクタ４５１からなる第１コネクタブロックには裏パックユニット１５に搭載された払出制御装置２４２と遊技盤ユニット８０に搭載された主制御装置１６２とを電気的に接続する機能が付与されており、第２内枠側コネクタ４０２及び第２遊技盤側コネクタ４５２からなる第２コネクタブロックには裏パックユニット１５に搭載された電源・発射制御装置２４３と遊技盤ユニット８０に搭載された主制御装置１６２とを電気的に接続する機能が付与されている。
【０２５８】
同一の対象（裏パックユニット１５）に配された電源・発射制御装置２４３及び払出制御装置２４２についてもハーネスＨ５によって電気的に接続されている。このハーネスＨ５を介して、電源・発射制御装置２４３から払出制御装置２４２に電力が供給され、当該電力に基づいて払出制御装置２４２やそれに付随する払出装置２２４が動作する構成となっている。
【０２５９】
ここで、本実施の形態に示す払出制御装置２４２には、電源・発射制御装置２４３から主制御装置１６２に電力を供給する電源ラインＥＮＬ２を構築する機能が付与されている。具体的には、図２６に示すように、電源・発射制御装置２４３と払出制御装置２４２とを電気的に接続するハーネスＨ５には、主制御装置１６２への電源ラインＥＮＬ２を構築する配線が含まれており、払出制御装置２４２と第１内枠側コネクタ４０１（詳しくは中継コネクタ４０３）とを繋ぐハーネスＨ３にも電源ラインＥＮＬ２を構築する配線が含まれており、第１内枠側コネクタ４０１と対をなす第１遊技盤側コネクタ４５１と主制御装置１６２とを繋ぐハーネスＨ４にも電源ラインＥＮＬ２を構築する配線が含まれている。
【０２６０】
つまり、電源・発射制御装置２４３から主制御装置１６２へ電源を供給する電源供給経路には、上記第１の実施の形態に示したように他の制御装置を経由することなく主制御装置１６２に至る経路と、払出制御装置２４２を経由して主制御装置１６２に至る経路との２系統が存在している。
【０２６１】
遊技盤ユニット８０の装着完了位置への配置に伴って内枠側コネクタ４０１，４０２及び遊技盤側コネクタ４５１，４５２が結合される構成においては、何れかのコネクタ（上記実施の形態においては内枠側コネクタ４０１，４０２）を可動式とすることにより、製造ばらつきや作業ばらつきの影響を払拭して、自動接続機能を担保することができる。
しかしながら、このようにして利便性を追求した場合には、端子が緩くなる等して端子同士の係合が不安定になったり、電源ラインが寸断される等して電力供給が上手く行われなくなる可能性が高くなったりすると想定される。
【０２６２】
そこで、上述の如く電源ラインを複数系統有する構成とすることにより、電力供給の安定化を図り、遊技機の信頼性向上に貢献することができる。特に、電源ラインを、個別に設けられた各コネクタブロックに振り分ける構成とすることにより、仮に一方のコネクタブロックに変形や破損等に起因した接続不良が生じた場合であっても、他方のコネクタブロックによって電源供給経路を担保することができる。故に、電力供給の安定化を図ることができる。特に、上述の如く自動で接続されるタイプのコネクタを採用することにより作業者の利便性の向上を図っている場合には、接続に伴ってコネクタに生じる負荷が大きくなり、これが接続不良を引き起こす要因になると懸念される。このような事情に鑑みた場合には、複数のコネクタブロックにてそれぞれ電源ラインを確保することには技術的意義がある。
【０２６３】
そもそも、電源ラインを個別のコネクタブロックを用いて複数形成する場合には、それによって構成が複雑になり得る。この点、電源・発射制御装置２４３及び主制御装置１６２の両方を接続対象として設定された払出制御装置２４２を利用して第２の電源ラインを確保する構成とすれば、既存の構成（第１コネクタブロック）が活用できるため、上述した構成の複雑化を最小限に留めることができる。
【０２６４】
また、本実施の形態においては、払出制御装置２４２を経由する電源ラインに同じく払出制御装置２４２を経由するグランドラインが併設されている。これらグランドラインを構築するグランド用接続端子の配置についても、第１コネクタブロックにおけるグランド用接続端子の配置と同様の工夫が施されている。そこで以下、図２７（ａ）を参照して、当該工夫について説明する。
【０２６５】
第１コネクタブロックを構成する第１内枠側コネクタ４０１には、左右に並べて設けられた１０個の接続端子群が上下２段となるように配列され、合せて２０個の接続端子４０９が併存している。これら上下２段の接続端子群のうち下段の接続端子群に電源用接続端子とグランド用接続端子とが含まれている。
【０２６６】
下段の接続端子群を構成する１０個の接続端子４０８ａ〜４０８ｊのうち両端に位置するものがグランド用接続端子４０８ａ，４０８ｊとなっており、これらグランド用接続端子４０８ａ，４０８ｊの間に位置するものが電源用接続端子４０８ｅとなっている。これに対応させて、遊技盤側コネクタ４５１の接続端子４５８にもグランド用接続端子と電源用接続端子とが配設されている。
【０２６７】
コネクタブロック毎に電源ラインを確保する場合、上記補完機能が作用する状況下においては、電源ラインそのものだけでなく当該電源ラインに対応するグランドラインにも何らかの影響が生じると想定される。つまり、コネクタの接続不良を起因とする場合には電源ラインとともにグランドラインも寸断される可能性がある。上述したように、他のコネクタブロックによって電源ラインを確保したとして、グランドラインが確保されていなければ電気部品の動作が不安定になる可能性が残る。そこで、本実施の形態に示すように、コネクタブロック毎にグラインを形成する構成とすれば、グランドラインが形成されていない状態で電源ラインだけが形成されることを抑制し、遊技部品の動作が不安定になることを好適に抑制できる。
【０２６８】
以上詳述した第３の実施の形態においては、第１内枠側コネクタ４０１及び第１遊技盤側コネクタ４５１からなる第１コネクタブロックと、第２内枠側コネクタ４０２及び第２遊技盤側コネクタ４５２からなる第２コネクタブロックとの両方にて、遊技盤ユニット８０に搭載された「電気機器」（例えば主制御装置１６２）用の電源ライン及びグランドラインを確保する構成としたが、必ずしもこれに限定されるものではない。電源供給経路の担保を主体とした場合には、図２７（ｂ）の概略図に示すように第１コネクタブロックに形成されるグランドラインについては省略することとも可能である。
【０２６９】
上記第１の実施の形態に示したように、遊技盤ユニット８０の回動基端部からの距離が短い第２コネクタブロックについては第１コネクタブロックよりも接続の開始タイミングが僅かながら先行することとなる。このような事情に配慮した場合には、第２コネクタブロック→第１コネクタブロックの順に電源ラインが形成されることとなる。第２コネクタブロックにて電源ラインが形成された時点では当該第２コネクタブロックにてグランドラインが形成済みとなっている。故に、第１コネクタブロックにて電源ラインが形成されるタイミングでは既にグランドラインが確保されていることになる。係る構成とすれば、第１コネクタブロックにてグランドライン用の接続端子を確保する必要がなくなり、当該第１コネクタブロックにおける信号伝達経路の確保に係る制約を好適に抑制することができる。
【０２７０】
＜その他の実施の形態＞
なお、上述した各実施の形態の記載内容に限定されず例えば次のように実施してもよい。ちなみに、以下の各構成を個別に上記各実施の形態に対して適用してもよく、一部又は全部を組み合わせて上記各実施の形態に対して適用してもよい。また、上記各実施の形態に示した各種構成の全て又は一部を任意に組み合わせることも可能である。この場合、組み合わせの対象となる各構成の技術的意義（発揮される効果）が担保されることが好ましい。実施の形態の組み合わせからなる新たな構成に対して以下の各構成を個別に適用してもよく、一部又は全部を組み合わせて適用することも可能である。
【０２７１】
（１）上記各実施の形態では、「遊技ユニット」としての遊技盤ユニット８０を「支持対象」としての樹脂ベース７０に対して遊技機前方（前面側）から取り付ける構成としたが、遊技盤ユニット８０の取付方向は遊技機前方からに限定されるものではない。例えば、遊技盤ユニット８０を樹脂ベース７０に対して遊技機後方（背面側）から取り付ける構成とすることも可能である。
【０２７２】
また、遊技盤ユニット８０を樹脂ベース７０に対して回動させることで着脱させる構成としたが、これを変更し、遊技盤ユニット８０をスライド移動させることで樹脂ベース７０に対して着脱させる構成とすることも可能である。
【０２７３】
これらの変更を行った場合であっても、「ユニット側コネクタ」としての遊技盤側コネクタ４５１，４５２と「支持対象側コネクタ」としての内枠側コネクタ４０１，４０２とを遊技盤ユニット８０の着脱に基づいて結合／分離させる構成とすることが好ましい。
【０２７４】
（２）上記各実施の形態では、遊技盤ユニット８０に設けられた第１遊技盤側コネクタ４５１及び第２遊技盤側コネクタ４５２を横方向（左右方向：遊技盤ユニット８０の回動中心軸線と交差する方向）に並べて配置したが、これら遊技盤側コネクタ４５１，４５２の配置については任意に変更することも可能である。例えば、遊技盤側コネクタ４５１，４５２を縦方向（遊技盤ユニット８０の回動中心軸線方向）に並べて配置してもよい。
【０２７５】
また、遊技盤側コネクタ４５１，４５２の接続端子の配列方向についても任意であり、例えば横方向に並べて配置する構成に代えて縦方向に並べて配置する構成とすることも可能である。
【０２７６】
同様に、内枠側コネクタ４０１，４０２の並設方向や内枠側コネクタ４０１，４０２用の接続端子４０８，４０９の配列方向についても任意に変更してもよい。
【０２７７】
但し、遊技盤ユニット８０の位置ばらつきを抑えて内枠側コネクタ４０１，４０２と遊技盤側コネクタ４５１，４５２との結合を円滑に行う点等に鑑みれば、複数のコネクタを横並びとなるように配置し且つ接続端子を横並びとなるように配列することには技術的意義がある。
【０２７８】
なお、上記第１及び第２の実施の形態においては遊技盤ユニット８０の回動先端側に配設された第１コネクタブロック（第１内枠側コネクタ４０１及び第１遊技盤側コネクタ４５１）に主制御装置１６２へ電源を供給する電源供給経路としての機能を付与したが、第１コネクタブロックよりも回動基端側に位置する第２コネクタブロック（第２内枠側コネクタ４０２及び第２遊技盤側コネクタ４５２）に主制御装置１６２へ電源を供給する電源供給経路としての機能を付与してもよい。
【０２７９】
（３）上記各実施の形態では、グランド用接続端子４０９ａ，４０９ｈ，４５９ａ，４５９ｈを電源用接続端子４０９ｄ，４５９ｄの左右両側に配設したが、グランド用接続端子の接続状態が維持されている状況下にて電源用接続端子の接続／解除が行われるのであれば、必ずしも電源用接続端子を挟むようにしてグランド用接続端子を配設する必要はない。例えば、電源用接続端子４０９ｄ，４５９ｄよりも遊技盤ユニット８０の回動先端側に位置するグランド用接続端子４０９ａ，４５９ａを省略することも可能である。
【０２８０】
（４）上記第３の実施の形態では、第１遊技盤側コネクタ４５１及び第１内枠側コネクタ４０１の組み合わせと第２遊技盤側コネクタ４５２及び第２内枠側コネクタ４０２の組み合わせとの両方に、各々複数のグランド用接続端子を配設したが、これに限定されるものではない。例えば、電源用接続端子の両側に当該電源用接続端子に対応するグランド用接続端子が配置されているのであれば、上記組み合わせ毎に１のグランド用接続端子を配設する構成としてもよい。この場合、例えば第１コネクタブロックの右側端部（遊技盤ユニット８０の回動先端側となる端部）と、第２コネクタブロックの左側端部（遊技盤ユニット８０の回動基端側となる端部）とにグランド用接続端子を各々配置し、それらグランド用接続端子の間に各コネクタブロックに配設された上記電源用接続端子を配置するとよい。
【０２８１】
（５）上記各実施の形態では、第２内枠側コネクタ４０２及び第２遊技盤側コネクタ４５２からなる第２コネクタブロックにて左右両端に配設された接続端子４０９ａ，４０９ｈ，４５９ａ，４５９ｈをグランド用接続端子としたが、２つのグランド用接続端子の間に配設された接続端子を電源用接続端子とする上では、必ずしも左右両端の接続端子をグランド用接続端子として設定する必要はない。例えば、電源用接続端子４０９ｄ，４５９ｄの左右両隣に位置する接続端子をグランド用接続端子とすれば足りる。
【０２８２】
（６）上記各実施の形態では、「電気部品」としての報知・演出制御装置１４３（図柄表示装置９６）に至る途中にてグランドラインを１系統にまとめる構成としたが、これを変更し、図柄表示装置９６に至るグランドラインをグランド用接続端子毎に個別に設ける構成とすることも可能である。
【０２８３】
なお、図柄表示装置９６用の電源ラインについても同様に、当該図柄表示装置９６に至る途中にて１系統にまとめる構成としたが、これを変更し、電源ラインを電源用接続端子毎に個別に設ける構成とすることも可能である。
【０２８４】
（７）上記各実施の形態においては、接続端子を複数併用することにより「接続箇所」を複数確保する構成としたが、結果として接続箇所を複数に分けることができるのであれば、１部品に複数の接続箇所を設ける構成とすることも可能である。つまり、各接続端子を別部品で構築するのではなく、１部品で構築する構成とすることも可能である。
【０２８５】
（８）上記各実施の形態においては、上段の接続端子群及び下段の接続端子群のうち後者に電源用接続端子及びグランド用接続端子が含まれる構成としたが、これに限定されるものではない。電源用接続端子及びグランド用接続端子が、上段の接続端子群及び下段の接続端子群の何れに属する構成とするかについては任意に変更してもよい。例えば、２つのグランド用接続端子のうちの一方を上段、他方を下段に配設することも可能である。
【０２８６】
また、接続端子群を上段／中段／下段の三層となるように配列し、上段及び下段にグランド用接続端子、中段に電源用接続端子を配設することも可能である。つまり、電源用接続端子に対して２つのグランド用接続端子を横方向及び縦方向の２つの方向でずらして配置する構成とすることも可能である。
【０２８７】
（９）上記第３の実施の形態において、主制御装置１６２と払出制御装置２４２とを電気的に接続するための第２コネクタブロック（第２内枠側コネクタ４０２及び第２遊技盤側コネクタ４５２）に主制御装置１６２用の電源供給経路としての機能を付与したが、遊技盤ユニット８０と樹脂ベース７０又は裏パックユニット１５とを電気的に接続するための他のコネクタブロックに主制御装置１６２用の電源供給経路としての機能を付与する上では、その対象は払出制御装置２４２に限定されない。但し、他の電気的接続ルートに主制御装置１６２用の電源供給経路としての機能を付与する上では、構成の複雑化を抑制すべく、電源・発射制御装置２４３と主制御装置１６２との両者に対して電気的に接続される構成（介在する構成）を上記機能の付与対象とすることが好ましい。
【０２８８】
（１０）上記各実施の形態では、内枠側コネクタ４０１，４０２を固定コネクタとし、遊技盤側コネクタ４５１，４５２を可動コネクタとしたが、これ逆にすることも可能である。つまり、遊技盤側コネクタ４５１，４５２を台座４６１に対して相対変位が不可となるように固定する一方で、内枠側コネクタ４０１，４０２（又はコネクタ用基板４１１，４１２）を接続端子４５８，４５９の向きと直交する方向に変位可能となるように構成してもよい。
【０２８９】
但し、可変式のコネクタを採用した場合には、それらコネクタの初期位置のばらつきが生じることで、接続が上手く行われない可能性が生じやすく、このような不都合を解消すべくコネクタの変位範囲を大きくすることはコネクタの占有領域を無駄に拡げる要因となるため好ましくない。上記実施の形態に示すように、回動式の遊技盤ユニット８０の回動先端部においては、遊技盤ユニット８０を回動させた際の遠心力によって、可変式のコネクタの初期位置のばらつきが抑えられやすくなる。故に、上記実施の形態に示したように遊技盤ユニット８０側のコネクタを可変式とすることが望ましい。
【０２９０】
（１１）上記各実施の形態では、内枠側コネクタ４０１，４０２が挿入口４０６ａ，４０７ａを有し、遊技盤側コネクタ４５１，４５２が挿入部４５６ａ，４５７ａを有する構成としたが、これを逆にすることも可能である。
【０２９１】
また、内枠側コネクタ４０１，４０２及び遊技盤側コネクタ４５１，４５２の両者にコネクタ同士の位置合せ用の誘導部を形成したが、これに限定されるものではない。誘導部については、内枠側コネクタ４０１，４０２及び遊技盤側コネクタ４５１，４５２の少なくとも一方に設けられていればよい。
【０２９２】
（１２）上記実施の形態では、「遊技ユニット」として遊技盤ユニット８０を採用し、「支持対象」として内枠１３を採用したが、これに限定されるものではない。例えば「遊技ユニット」として裏パックユニット１５を採用し、「支持対象」として内枠１３を採用してもよい。かかる構成においては、裏パックユニット１５を着脱することで内枠１３に設けられたコネクタと裏パックユニット１５に設けられたコネクタとが結合し、それら裏パックユニット１５及び内枠１３が電気的に接続される構成とするとよい。
【０２９３】
（１３）上記各実施の形態では、電源が入っているか否かに関係なく遊技盤ユニット８０の着脱を可能としたが、これを以下のように変更することも可能である。例えばロック装置等の規制手段によって電源がＯＮとなっている状態では遊技盤ユニット８０の着脱を規制する構成とすることも可能である。つまり、遊技盤ユニット８０を着脱する場合には、電源をＯＦＦに切り替える必要が生じる構成とすることも可能である。
【０２９４】
（１４）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０２９５】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０２９６】
更には、取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０２９７】
＜上記各実施の形態から抽出される発明群について＞
以下、上述した各実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２９８】
以下の特徴群に記載された発明は、「パチンコ機等の遊技機には、電気部品が搭載されてなる遊技盤等の遊技ユニットと、その遊技ユニットを着脱可能に支持する支持枠等の支持対象とを備えているものがある。遊技ユニットには電気部品に接続されたコネクタが取り付けられており、このコネクタを支持対象側のコネクタと接続することで、遊技ユニットと支持対象とが電気的に接続された状態となる。近年では、遊技ユニットを支持対象に着脱する際の遊技ユニットの変位によって両コネクタが電気的に接続／分離されるものが提案されている（例えば特許文献１参照）。かかる遊技機においては、例えば遊技ユニット装着後に手作業でコネクタの接続を行う必要が無く、作業性の向上等が実現される。」という背景技術について、「しかしながら、上述したタイプの遊技機においては、電気部品の動作の安定化や保護等を図る上で電気的な接続に係る構成に未だ改善の余地がある。」という発明が解決しようとする課題をもってなされたものである。
【０２９９】
＜特徴Ａ群＞
特徴Ａ１．電気部品（例えば主制御装置１６２や図柄表示装置９６等）が搭載されてなる遊技ユニット（遊技盤ユニット８０）が支持対象（内枠１３の樹脂ベース７０）によって着脱可能に支持されている遊技機であって、
前記遊技ユニットに設けられたユニット側コネクタ（第２遊技盤側コネクタ４５２）と、
前記支持対象に設けられ、前記ユニット側コネクタと接続される支持対象側コネクタ（第２内枠側コネクタ４０２）と
を備え、
前記ユニット側コネクタ及び前記支持対象側コネクタは、電源用接続箇所（電源用接続端子４０９ｄ，４５９ｄ）と、前記電源用接続箇所を挟んだ両側に設けられたグランド用接続箇所（グランド用接続端子４０９ａ，４０９ｈ，４５９ａ，４５９ｈ）とを有していることを特徴とする遊技機。
【０３００】
特徴Ａ１によれば、グランド用接続箇所の間に電源用接続箇所が設けられている。係る構成によれば、遊技ユニットを着脱する場合に、グランド用接続箇所の接続を維持した状態で電源用接続箇所の接続／非接続の切り替えを行うことができる。このようにして、グランド用接続箇所の接続状態の維持を優先することにより、グランドラインが形成されていない状況下にて電源ラインが形成されることを簡易な構成によって実現することができる。これにより、例えば電源がＯＮとなっている状況下（電気部品に電力が供給され得る状況下）にて遊技ユニットの着脱が行われた場合であってもグランドラインが担保されるため、電気部品に誤作動や故障等の不都合が発生することを抑制することができる。故に、電気機器の動作安定化や保護に好適に貢献できる。
【０３０１】
なお、電源用接続箇所の両側にグランド用接続箇所が存在しているため、遊技ユニット装着時に２つのグランド用接続箇所の一方に寄るような遊技ユニットの位置や傾き等のばらつき（作業ばらつき）を好適に許容することができる。
【０３０２】
特徴Ａ２．電気部品（例えば主制御装置１６２や図柄表示装置９６等）が搭載されてなる遊技ユニット（遊技盤ユニット８０）が支持対象（内枠１３の樹脂ベース７０）によって着脱可能に支持されている遊技機であって、
前記遊技ユニットに設けられたユニット側コネクタ（第２遊技盤側コネクタ４５２）と、
前記支持対象に設けられ、前記遊技ユニットの装着位置への変位に基づいて前記ユニット側コネクタと接続され、前記遊技ユニットの前記装着位置からの変位に基づいて前記ユニット側コネクタと分離される支持対象側コネクタ（第２内枠側コネクタ４０２）と
を備え、
前記ユニット側コネクタ及び前記支持対象側コネクタは、電源用接続端子（電源用接続端子４０９ｄ，４５９ｄ）と、前記電源用接続端子を挟んだ両側に設けられたグランド用接続端子（グランド用接続端子４０９ａ，４０９ｈ，４５９ａ，４５９ｈ）とを有していることを特徴とする遊技機。
【０３０３】
特徴Ａ２によれば、遊技ユニットを着脱する際には、遊技ユニットの変位に基づいてユニット側コネクタと支持対象側コネクタとが接続／分離されることとなる。これにより、両コネクタの接続／分離作業を別途行う必要がなくなったり、接続／分離時の作業用スペースの確保が不要となったりする等の優れた効果が期待できる。
【０３０４】
但し、このような利便性の向上を追求したことにより、以下の不都合が生じやすくなる。すなわち、遊技機の電源がＯＮとなっている状態（遊技ユニットに電源が供給され得る状態）にて遊技ユニットの着脱が行われる可能性が高まる。このような事象は、電気部品に誤作動や故障等の不都合が発生する要因となり得るため好ましくない。
【０３０５】
この点、本特徴に示す構成では、グランド用接続箇所の間に電源用接続箇所が設けられている。このため、遊技機の電源のＯＮ／ＯＦＦに関わらず、遊技盤ユニットを着脱する場合に、グランド用接続箇所の接続を維持した状態で電源用接続箇所の接続／非接続の切り替えを行うことができる。このようにして、グランド用接続箇所の接続状態の維持を優先することにより、グランドラインが形成されていない状況下にて電源ラインが形成されることを簡易な構成によって回避することができる。これにより、上記不都合の発生を抑え、電気機器の保護や動作の安定化に貢献できる。
【０３０６】
特徴Ａ３．電気部品（例えば主制御装置１６２や図柄表示装置９６等）が搭載されてなる遊技ユニット（遊技盤ユニット８０）が支持対象によって着脱可能に支持されている遊技機であって、
前記遊技ユニットに設けられたユニット側コネクタ（第２遊技盤側コネクタ４５２）と、
前記支持対象に設けられ、前記遊技ユニットの装着位置への変位に基づいて前記ユニット側コネクタと接続され、前記遊技ユニットの前記装着位置からの変位に基づいて前記ユニット側コネクタと分離される支持対象側コネクタ（第２内枠側コネクタ４０２）と
を備え、
前記ユニット側コネクタ及び前記支持対象側コネクタは、電源用接続端子（電源用接続端子４０９ｄ，４５９ｄ）と前記電源用接続端子を挟んだ両側に設けられたグランド用接続端子（グランド用接続端子４０９ａ，４０９ｈ，４５９ａ，４５９ｈ）とを有してなり、前記遊技ユニットが前記支持対象から取り外される場合には複数の前記グランド用接続端子の何れかの接続が維持されている状況下にて前記電源用接続端子の接続が解除されるように構成されていることを特徴とする遊技機。
【０３０７】
特徴Ａ３によれば、遊技ユニットを着脱する際には、遊技ユニットの変位に基づいてユニット側コネクタと支持対象側コネクタとが接続／分離されることとなる。これにより、両コネクタの接続／分離作業を別途行う必要がなくなったり、接続／分離時の作業用スペースの確保が不要となったりする等の優れた効果が期待できる。
【０３０８】
但し、このような利便性の向上を追求したことにより、以下の不都合が生じやすくなる。すなわち、遊技機の電源がＯＮとなっている状態（遊技ユニットに電源が供給され得る状態）にて遊技ユニットの取り外しが行われる可能性が高まる。このような事象は、電気部品に誤作動や故障等の不都合が発生する要因となり得るため好ましくない。
【０３０９】
この点、本特徴に示す構成では、グランド用接続箇所の間に電源用接続箇所が設けられている。このため、遊技機の電源のＯＮ／ＯＦＦに関わらず、遊技盤ユニットを取り外す場合に、グランド用接続箇所の接続を維持した状態で電源用接続箇所の接続→非接続の切り替えを行うことができる。このようにして、グランド用接続箇所の接続状態の維持を優先することにより、電源ラインが形成されている状況下にてグランドラインが切断されることを簡易な構成によって回避することができる。これにより、上記不都合の発生を抑え、電気機器の保護や動作の安定化に貢献できる。
【０３１０】
特徴Ａ４．電気部品（例えば主制御装置１６２や図柄表示装置９６等）が搭載されてなる遊技ユニット（遊技盤ユニット８０）が支持対象によって着脱可能に支持されている遊技機であって、
前記遊技ユニットに設けられたユニット側コネクタ（第２遊技盤側コネクタ４５２）と、
前記支持対象に設けられ、前記遊技ユニットの搭載位置への変位に基づいて前記ユニット側コネクタと接続され、前記遊技ユニットの前記搭載位置からの変位に基づいて前記ユニット側コネクタと分離される支持対象側コネクタ（第２内枠側コネクタ４０２）と
を備え、
前記ユニット側コネクタ及び前記支持対象側コネクタは、電源用接続端子と前記電源用接続端子を挟んだ両側に設けられたグランド用接続端子を有してなり、前記遊技ユニットが前記支持対象に取り付けられる場合には前記グランド用接続端子の何れかの接続が維持されている状況下にて前記電源用接続端子が接続されるように構成されていることを特徴とする遊技機。
【０３１１】
特徴Ａ４によれば、遊技ユニットを着脱する際には、遊技ユニットの変位に基づいてユニット側コネクタと支持対象側コネクタとが接続／分離されることとなる。これにより、両コネクタの接続／分離作業を別途行う必要がなくなったり、接続／分離時の作業用スペースの確保が不要となったりする等の優れた効果が期待できる。
【０３１２】
但し、このような利便性の向上を追求したことにより、以下の不都合が生じやすくなる。すなわち、遊技機の電源がＯＮとなっている状態（遊技ユニットに電源が供給され得る状態）にて遊技ユニットの取り外しが行われる可能性が高まる。このような事象は、電気部品に誤作動や故障等の不都合が発生する要因となり得るため好ましくない。
【０３１３】
この点、本特徴に示す構成では、グランド用接続箇所の間に電源用接続箇所が設けられている。このため、遊技機の電源のＯＮ／ＯＦＦに関わらず、遊技盤ユニットを取り付ける場合に、グランド用接続箇所の接続を維持した状態で電源用接続箇所の非接続→接続の切り替えを行うことができる。このようにして、グランド用接続箇所の接続状態の維持を優先することにより、グランドラインが形成されていない状況下にて電源ラインが形成されることを簡易な構成によって回避することができる。これにより、上記不都合の発生を抑え、電気機器の保護や動作の安定化に貢献できる。
【０３１４】
特徴Ａ５．前記遊技ユニットは、前記支持対象によって回動可能に支持されており、
前記グランド用接続端子は、前記電源用接続端子に対して前記遊技ユニットの回動先端側となる位置と、前記電源用接続端子に対して前記遊技ユニットの回動基端側となる位置とに配設されていることを特徴とする特徴Ａ１乃至特徴Ａ４のいずれか１つに記載の遊技機。
【０３１５】
特徴Ａ５に示すように遊技ユニットが回動可能に支持されている場合には、回動基端部（回動中心部）からの距離に応じて通過する軌道が異なる。このような事情から、回動基端部に近い端子の方が遠い端子よりも若干早く接続されることとなる。以上の特性に鑑みれば、グランド用接続端子を電源用接続端子よりも回動基端寄りとなるようにして配置することにより、グランド用接続端子が接続されている状況下に電源用接続端子の接続／非接続の切り替えが行われるように促すことができる。但し、電源用接続端子とグランド用接続端子との距離が小さくなればなるほど、上述した機能が製造ばらつきや作業のばらつきの影響を受けやすくなることを否定できない。
【０３１６】
この点、本特徴に示すように電源用接続端子よりも回動先端寄りとなる位置及び回動基端寄りとなる位置の両方にグランド用接続端子を配設すれば、上述したばらつき等の影響を抑え、接続端子の配置自由度の向上に貢献することが可能となる。
【０３１７】
特徴Ａ６．前記遊技ユニットの回動中心軸線方向にて、前記電源用接続端子が、前記電源用接続端子よりも回動基端側に配置されたグランド用接続端子と前記電源用接続端子よりも回動先端側に配置されたグランド用接続端子との間に位置するように配設されていることを特徴とする特徴Ａ５に記載の遊技機。
【０３１８】
特徴Ａ９によれば、例えば遊技ユニットを回動させている最中に前傾／後傾等の姿勢の変化が生じた場合であっても、何れかのグランド用接続端子の接続を担保することが容易となり、グランド用接続端子の接続に先んじて電源用接続端子が接続されるといった事象の発生を抑えることができる。故に、作業ばらつき等に起因した遊技ユニットの姿勢の変化を好適に許容することができる。
【０３１９】
特徴Ａ７．前記ユニット側コネクタ及び前記支持対象側コネクタの一方は、それらユニット側コネクタ及び支持対象側コネクタの接続方向と交差する所定の方向への変位が許容されており、
前記グランド用接続端子は、前記所定の方向に並べて設けられていることを特徴とする特徴Ａ１乃至特徴Ａ６のいずれか１つに記載の遊技機。
【０３２０】
特徴Ａ７に示すように、ユニット側コネクタ及び支持対象側コネクタの一方を可動式（可動コネクタ）とすることにより、遊技ユニットの装着に伴ってユニット側コネクタと支持対象側コネクタとが接続される際のそれらコネクタの位置関係のずれを好適に許容することができる。これは、作業の容易化を実現する上では好ましい構成である。
【０３２１】
しかしながら、このような構成では敢えて上述したような変位を許容することが接続箇所毎に接続タイミングにばらつきを生じさせる要因となることを否定できない。この点、特徴Ａ１等に示した構成と組み合わせることにより、上記接続タイミングのばらつきの影響を払拭することができる。これにより、作業性の向上を図りつつそれに起因した不都合の発生を抑制し、実用上好ましい構成を実現できる。
【０３２２】
特徴Ａ８．前記ユニット側コネクタ及び前記支持対象側コネクタにおいては、複数の接続端子が並べて配されており、それら複数の接続端子のうち同接続端子の配列方向における両端の接続端子が前記グランド用接続端子となっていることを特徴とする特徴Ａ１乃至特徴Ａ７のいずれか１つに記載の遊技機。
【０３２３】
特徴Ａ８によれば、配列方向における両端に位置している接続端子をグランド用接続端子とすることにより、コネクタの大型化を抑えつつグランド用接続端子同士の距離を稼ぐことができる。これにより、電源用接続端子を挟むようにしてグランド用接続端子を配置することによる上記各種効果を好適に享受できる。
【０３２４】
特徴Ａ９．前記ユニット側コネクタは第１ユニット側コネクタであり且つ前記支持対象側コネクタは第１支持対象側コネクタであり、それら第１ユニット側コネクタ及び第１支持対象側コネクタによって前記電気部品と前記支持対象に設けられた第１遊技機器（電源・発射制御装置２４３）とが電気的に接続されるように構成されており、
前記遊技ユニットに設けられた第２ユニット側コネクタ（第１遊技盤側コネクタ４５１）と、
前記支持対象に設けられ、前記遊技ユニットの装着位置への変位に基づいて前記第２ユニット側コネクタと接続され、前記遊技ユニットの前記装着位置からの変位に基づいて前記第２ユニット側コネクタと分離される第２支持対象側コネクタ（第１内枠側コネクタ４０１）と
を備え、
それら第２ユニット側コネクタ及び第２支持対象側コネクタによって前記電気部品と前記支持対象に設けられた第２遊技機器（払出制御装置２４２）とが電気的に接続されるように構成されており、
前記第２ユニット側コネクタ及び前記第２支持対象側コネクタには、前記電気部品へ電力を供給可能な電源ラインを形成する電源用接続端子が配設されていることを特徴とする特徴Ａ１乃至特徴Ａ８のいずれか１つに記載の遊技機。
【０３２５】
特徴Ａ９によれば、第１遊技機機器とは別に設けられた第２遊技機機器と電気部品とを電気的に接続する為の第２ユニット側コネクタ及び第２支持対象側コネクタによって電気部品への電源ラインが形成される。このように、第１ユニット側コネクタ及び第１支持対象側コネクタの２つのコネクタによって形成される電源ラインとは別に電源ラインを確保することにより、電気部品への電力供給が上手く行われなくなることを抑制できる。
【０３２６】
なお、第２ユニット側コネクタ及び第２支持対象側コネクタに設けられた電源用接続端子については第１ユニット側コネクタ及び第１支持対象側コネクタに設けられた電源用接続端子と同様のものとすることも可能である。
【０３２７】
特徴Ａ１０．前記遊技ユニットは、前記支持対象によって回動可能に支持されており、
前記第２ユニット側コネクタ及び前記第２支持対象側コネクタからなるコネクタブロックは、前記第１ユニット側コネクタ及び前記第１支持対象側コネクタからなるコネクタブロックよりも前記遊技ユニットの回動先端側に位置するようにして配設されていることを特徴とする特徴Ａ９に記載の遊技機。
【０３２８】
特徴Ａ１０に示すように遊技ユニットが回動可能に支持されている場合には、回動基端部（回動中心部）からの距離に応じて通過する軌道が異なる。このような事情から、回動基端部に近いコネクタブロック（第１コネクタブロック）の方が遠いコネクタブロック（第２コネクタブロック）よりも若干早く接続されることとなる。以上の特性に鑑みれば、第２の電源ラインを形成するサポート機能が付与された第２コネクタブロックがベースとなる第１コネクタブロックよりも回動先端側に位置するように配置することには、グランドラインが形成される前にサポート側の電源ラインが形成されることを抑制できるという技術的意義がある。
【０３２９】
特徴Ａ１１．前記第２ユニット側コネクタ及び前記第２支持対象側コネクタには、前記電源ラインに対応したグランドラインを形成するグランド用接続端子が配設されていることを特徴とする特徴Ａ１０に記載の遊技機。
【０３３０】
特徴Ａ１０に示したように第２コネクタブロックに電源ライン確保におけるサポート機能を付与した場合には、作業ばらつき等の影響により第１コネクタブロックに先んじて第２コネクタブロックが形成される可能性を否定できない。そこで、第２コネクタブロックについても第１コネクタブロックと同様にグランドラインが形成される構成とすることにより、電気機器用のグランドラインが確保されていない状況下にて電源ラインが形成されることを抑制できる。これにより、電源ラインの担保によって動作の安定化等を図ることが電気機器の保護を難しくする要因になることを好適に回避できる。
【０３３１】
なお、第２コネクタブロックについても、第１コネクタブロックと同様に、グランド用接続端子，電源用接続端子，グランド用接続端子の順に並べて配置することにより、上記保護機能の更なる強化に貢献できる。
【０３３２】
特徴Ａ１２．前面に遊技領域（遊技領域ＰＥ）が形成され、電気部品（例えば主制御装置１６２や図柄表示装置９６等）が搭載されてなる遊技盤（遊技盤ユニット８０）と、
前記遊技盤を着脱可能に支持する支持枠（内枠１３の樹脂ベース７０）と
を備え、
前記支持枠に対して前記遊技盤が遊技機前方から回動可能となるようにして取り付けられている遊技機において、
前記遊技盤の背面に設けられた遊技盤側コネクタ（第２遊技盤側コネクタ４５２）と、
前記支持枠に設けられ、前記遊技盤の取り付けに伴う当該遊技盤の変位により前記遊技盤側コネクタと接続され、前記遊技盤の取り外しに伴う当該遊技盤の変位により前記遊技盤側コネクタと分離される支持枠側コネクタ（第２内枠側コネクタ４０２）と
を備え、
前記遊技盤側コネクタ及び前記支持枠側コネクタは、電源用接続端子（電源用接続端子４０９ｄ，４５９ｄ）とグランド用接続端子（グランド用接続端子４０９ａ，４０９ｈ，４５９ａ，４５９ｈ）とを有してなり、前記遊技盤が前記支持枠から取り外される場合には前記グランド用接続端子の接続が維持されている状況下にて前記電源用接続端子が接続され、前記遊技盤が前記支持枠から取り外される場合には前記グランド用接続端子の接続が維持されている状況下にて前記電源用接続端子の接続が解除されるように構成されていることを特徴とする遊技機。
【０３３３】
特徴Ａ１２によれば、遊技盤を着脱する際には、遊技盤の変位に基づいて遊技盤側コネクタと支持枠側コネクタとが接続／分離されることとなる。これにより、両コネクタの接続／分離作業を別途行う必要がなくなったり、接続／分離時の作業用スペースの確保が不要となったりする等の優れた効果が期待できる。
【０３３４】
但し、このような利便性の向上を追求したことにより、以下の不都合が生じやすくなる。すなわち、遊技機の電源がＯＮとなっている状態（遊技盤に電源が供給され得る状態）にて遊技盤の取り外しが行われる可能性が高まる。また、遊技機の電源がＯＮとなっている状態（遊技盤に電源が供給され得る状態）にて遊技盤の取り外しが行われる可能性も高まる。このような事象は、電気部品に誤作動や故障等の不都合が発生する要因となり得るため好ましくない。
【０３３５】
この点、本特徴に示す構成では、グランド用接続箇所の間に電源用接続箇所が設けられている。このため、遊技機の電源のＯＮ／ＯＦＦに関わらず、遊技盤を取り外す場合に、グランド用接続箇所の接続を維持した状態で電源用接続箇所の接続→非接続の切り替えを行うことができる。このようにして、グランド用接続箇所の接続状態の維持を優先することにより、電源ラインが形成されている状況下にてグランドラインが切断されることを簡易な構成によって回避することができる。これにより、上記不都合の発生を抑え、電気機器の保護や動作の安定化に貢献できる。
【０３３６】
特徴Ａ１３．電気部品（例えば主制御装置１６２や図柄表示装置９６等）が搭載されてなる遊技ユニット（遊技盤ユニット）が支持対象によって着脱可能に支持されている遊技機であって、
前記遊技ユニットに設けられたユニット側コネクタ（第２遊技盤側コネクタ４５２）と、
前記支持対象に設けられ、前記遊技ユニットの搭載位置への変位に基づいて前記ユニット側コネクタと接続され、前記遊技ユニットの前記搭載位置からの変位に基づいて前記ユニット側コネクタと分離される支持対象側コネクタ（第２内枠側コネクタ４０２）と
を備え、
前記ユニット側コネクタ及び前記支持対象側コネクタは、電源用接続端子とグランド用接続端子を有してなり、前記遊技ユニットが前記支持対象から取り外される場合には前記グランド用接続端子の接続が維持されている状況下にて前記電源用接続端子の接続が解除されるように構成されていることを特徴とする遊技機。
【０３３７】
特徴Ａ１３によれば、遊技ユニットを着脱する際には、遊技ユニットの変位に基づいてユニット側コネクタと支持対象側コネクタとが接続／分離されることとなる。これにより、両コネクタの接続／分離作業を別途行う必要がなくなったり、接続／分離時の作業用スペースの確保が不要となったりする等の優れた効果が期待できる。
【０３３８】
但し、このような利便性の向上を追求したことにより、以下の不都合が生じやすくなる。すなわち、遊技機の電源がＯＮとなっている状態（遊技ユニットに電源が供給され得る状態）にて遊技ユニットの取り外しが行われる可能性が高まる。このような事象は、電気部品に誤作動や故障等の不都合が発生する要因となり得るため好ましくない。
【０３３９】
この点、本特徴に示す構成では、遊技機の電源のＯＮ／ＯＦＦに関わらず、遊技盤ユニットを取り外す場合に、グランド用接続箇所の接続を維持した状態で電源用接続箇所の接続→非接続の切り替えを行うことができる。これにより、上記不都合の発生を抑え、電気機器の保護や動作の安定化に貢献できる。
【０３４０】
特徴Ａ１４．電気部品（例えば主制御装置１６２や図柄表示装置９６等）が搭載されてなる遊技ユニット（遊技盤ユニット）が支持対象によって着脱可能に支持されている遊技機であって、
前記遊技ユニットに設けられたユニット側コネクタ（第２遊技盤側コネクタ４５２）と、
前記支持対象に設けられ、前記遊技ユニットの搭載位置への変位に基づいて前記ユニット側コネクタと接続され、前記遊技ユニットの前記搭載位置からの変位に基づいて前記ユニット側コネクタと分離される支持対象側コネクタ（第２内枠側コネクタ４０２）と
を備え、
前記ユニット側コネクタ及び前記支持対象側コネクタは、電源用接続端子とグランド用接続端子を有してなり、前記遊技ユニットが前記支持対象に取り付けられる場合には前記グランド用接続端子の接続が維持されている状況下にて前記電源用接続端子が接続されるように構成されていることを特徴とする遊技機。
【０３４１】
特徴Ａ１４によれば、遊技ユニットを着脱する際には、遊技ユニットの変位に基づいてユニット側コネクタと支持対象側コネクタとが接続／分離されることとなる。これにより、両コネクタの接続／分離作業を別途行う必要がなくなったり、接続／分離時の作業用スペースの確保が不要となったりする等の優れた効果が期待できる。
【０３４２】
但し、このような利便性の向上を追求したことにより、以下の不都合が生じやすくなる。すなわち、遊技機の電源がＯＮとなっている状態（遊技ユニットに電源が供給され得る状態）にて遊技ユニットの取り付けが行われる可能性が高まる。このような事象は、電気部品に誤作動や故障等の不都合が発生する要因となり得るため好ましくない。
【０３４３】
この点、本特徴に示す構成では、遊技機の電源のＯＮ／ＯＦＦに関わらず、遊技盤ユニットを取り外す場合に、グランド用接続箇所の接続を維持した状態で電源用接続箇所の非接続→接続の切り替えを行うことができる。これにより、上記不都合の発生を抑え、電気機器の保護や動作の安定化に貢献できる。
【０３４４】
＜特徴Ｂ群＞
特徴Ｂ１．電気部品（例えば主制御装置１６２や図柄表示装置９６等）が搭載されてなる遊技ユニット（遊技盤ユニット８０）が支持対象（内枠１３の樹脂ベース７０）によって着脱可能に支持されている遊技機であって、
前記遊技ユニットに設けられたユニット側コネクタ（遊技盤側コネクタ４５１，４５２）と、
前記支持対象に設けられ、前記遊技ユニットの搭載位置への変位に基づいて前記ユニット側コネクタと接続され、前記遊技ユニットの前記搭載位置からの変位に基づいて前記ユニット側コネクタと分離される支持対象側コネクタ（内枠側コネクタ４０１，４０２）と
を備え、
前記ユニット側コネクタ及び前記支持対象側コネクタが接続されることにより、前記支持対象から前記電気部品へ電源を供給する複数の電源ライン（電源ラインＥＮＬ１，ＥＮＬ２）が形成されることを特徴とする遊技機。
【０３４５】
接触不良等によって電気機器の動作が不安定になることは、電気機器の故障を招来する要因になるだけでなく、遊技機への信頼性の低下を招く容易にもなり得る。特に、電源の供給経路が複雑になることにより、接続不良や断線等が発生しやすくなると懸念される。例えば、本特徴に示すようなコネクタの自動接続構造によって作業負荷の軽減等を実現する場合には、電源供給経路が複雑になる。故に、電気機器の動作を安定化させる上で不安要素が大きくなる。
【０３４６】
そこで、本特徴に示すように、ユニット側コネクタ及び支持対象側コネクタが接続されることにより、支持対象から電気部品へ電源を供給する複数の電源ラインが形成される構成とすれば、利便性の向上が動作の安定性を低下させる要因になることを好適に抑制できる。
【０３４７】
なお、電源線と信号線とを併有している場合には、信号線に対して本特徴に示す技術的思想を適用することも可能ではある。但し、電源については供給停止に起因した再起動等が必要となる可能性が高く、他の信号線とは動作安定性での重みが大きく異なっている。このような事情から、少なくとも動作電力の安定供給を実現することには技術的意義がある。
【０３４８】
特徴Ｂ２．前記ユニット側コネクタ及び前記支持対象側コネクタの組み合わせを複数組み有し、それら組み合わせ毎に前記電源ラインを構成する電源用接続端子が配設されていることを特徴とする特徴Ｂ１に記載の遊技機。
【０３４９】
特徴Ｂ２によれば、自動で接続されるタイプのコネクタを採用することにより、作業者の利便性の向上に貢献できる。しかしながら、このような構成では、接続に伴ってコネクタに生じる負荷が大きくなり、これが接続不良を引き起こす要因になると懸念される。
【０３５０】
そこで、特徴Ｂ１に示した技術的思想を具現化するにあたり、ユニット側コネクタ及び支持対象側コネクタの組み合わせ（コネクタブロック）毎に電源ラインを形成すれば、電気部品への電力供給経路を好適に確保し、当該電気部品を安定して動作させることができる。
【０３５１】
特徴Ｂ３．前記ユニット側コネクタ及び前記支持対象側コネクタの組み合わせ毎にグランドラインを構成するグランド用接続端子が配設されていることを特徴とする特徴Ｂ２に記載の遊技機。
【０３５２】
特徴Ｂ２に示したようにコネクタブロック毎に電源ラインを確保する場合、上記補完機能が作用する状況下においては、電源ラインそのものだけでなく当該電源ラインに対応するグランドラインにも何らかの影響が生じると想定される。つまり、コネクタの接続不良を起因とする場合には電源ラインとともにグランドラインも寸断される可能性がある。上述したように、他のコネクタブロックによって電源ラインを確保したとして、グランドラインが確保されていなければ電気部品の動作が不安定になる可能性が残る。そこで、本特徴に示すように、コネクタブロック毎に電源ラインとグランドラインとを形成する構成とすれば、グランドラインが形成されていない状態で電源ラインだけが形成されることを抑制し、遊技部品の動作が不安定になることを好適に抑制できる。
【０３５３】
特徴Ｂ４．前記複数のグランド用接続端子の間に前記電源用接続端子が配設されていることを特徴とする特徴Ｂ３に記載の遊技機。
【０３５４】
グランド用接続箇所の間に電源用接続箇所が設けることにより、それら端子の並び方向におけるユニット側コネクタと支持対象側コネクタとの相対位置がずれを好適に許容することができる。
【０３５５】
また、遊技盤ユニットを着脱する場合に、グランド用接続箇所の接続を維持した状態で電源用接続箇所の接続／非接続の切り替えを行うことができる。このようにして、グランド用接続箇所の接続状態の維持を優先することにより、グランドラインが形成されていない状況下にて電源ラインが形成されることを簡易な構成によって実現することができる。これにより、例えば電源がＯＮとなっている状況下（電気部品に電力が供給され得る状況下）にて遊技ユニットの着脱が行われた場合であってもグランドラインが担保されるため、電気部品に誤作動や故障等の不都合が発生することを抑制することができる。故に、電気機器の動作安定化や保護に好適に貢献できる。
【０３５６】
特徴Ｂ５．前記遊技ユニットは、前記支持対象によって回動可能に支持されており、
前記ユニット側コネクタ及び前記支持対象側コネクタの組み合わせが、前記遊技ユニットの回動中心部からの距離が異なるようにして並べて配設されていることを特徴とする特徴Ｂ４に記載の遊技機。
【０３５７】
回動中心部からの距離が同一である場合には、作業ばらつき等による影響も各コネクタブロックにて同様となり得る。この点、敢えて回動中心部から各コネクタブロックの距離を相違させることにより、各コネクタブロックにおける影響に差を生じさせることができる。つまり、一方のコネクタブロックには不利なばらつきが発生した場合には、他方のコネクタブロックによってフォローし、他方のコネクタブロックに対して不利なばらつきが発生した場合には、一方のコネクタブロックによってフォローすることができるため、相互補完機能を強化できる。
【０３５８】
なお、特徴Ｂ４との組みわせにおいては各コネクタブロックにおける接続端子の配列方向をコネクタブロックの並設方向と揃える構成とすることにより実用上好ましい構成が実現できる。
【０３５９】
上述した各特徴に示す技術的思想のいずれか１つを他の特徴に適用してもよいし、複数の特徴に示した技術的思想を組み合わせて他の特徴に適用してもよい。また、各特徴に示す構成の一部を抽出して他の特徴に適用することも可能である。
【０３６０】
以下に、以上の各特徴を適用し得る遊技機の基本構成を示す。
【０３６１】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域（遊技領域ＰＥ）に導く球通路（誘導レール１００の誘導通路１０３等）と、遊技領域内に配置された各遊技部品（釘等）とを備え、それら各遊技部品のうち所定の通過部（一般入賞口８１等）を遊技球が通過した場合に遊技者に特典を付与する遊技機。
【０３６２】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０３６３】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０３６４】
１０…遊技機としてのパチンコ機、１１…外枠、１２…内枠、１４…前扉枠、１５…裏パックユニット、７０…支持対象としての樹脂ベース、８０…遊技ユニットとしての遊技盤ユニット、８０ａ…遊技盤、９６…電気部品を構成する図柄表示装置、１６２…電気部品を構成する主制御装置、２０１…裏パック、２２４…払出装置、２４２…第２遊技部品としての払出制御装置、２４３…第１遊技機器としての電源・発射制御装置、４０１…第１内枠側コネクタ、４０２…支持対象側コネクタとしての第２内枠側コネクタ、４０６，４０７…コネクタ本体、４０８，４０９…接続端子、４０９ａ，４０９ｈ…グランド用接続端子、４０９ｄ…電源用接続端子、４１１，４１２…コネクタ用基板、４５１…第１遊技盤側コネクタ、４５２…ユニット側コネクタとしての第２遊技盤側コネクタ、４５６，４５７…コネクタ本体、４５８，４５９…接続端子、４５９ａ，４５９ｈ…グランド用接続端子、４５９ｄ…電源用接続端子、ＥＮＬ１…電源ライン、ＧＮＬ１，ＧＮＬ２…グランドライン、ＰＥ…遊技領域。
【図１】
0006511833.tif 000002
【図２】
0006511833.tif 000003
【図３】
0006511833.tif 000004
【図４】
0006511833.tif 000005
【図５】
0006511833.tif 000006
【図６】
0006511833.tif 000007
【図７】
0006511833.tif 000008
【図８】
0006511833.tif 000009
【図９】
0006511833.tif 000010
【図１０】
0006511833.tif 000011
【図１１】
0006511833.tif 000012
【図１２】
0006511833.tif 000013
【図１３】
0006511833.tif 000014
【図１４】
0006511833.tif 000015
【図１５】
0006511833.tif 000016
【図１６】
0006511833.tif 000017
【図１７】
0006511833.tif 000018
【図１８】
0006511833.tif 000019
【図１９】
0006511833.tif 000020
【図２０】
0006511833.tif 000021
【図２１】
0006511833.tif 000022
【図２２】
0006511833.tif 000023
【図２３】
0006511833.tif 000024
【図２４】
0006511833.tif 000025
【図２５】
0006511833.tif 000026
【図２６】
0006511833.tif 000027
【図２７】
0006511833.tif 000028